(57)【要約】  バイアルアダプタは、コネクタ接続部および／または穿孔部材を備えることができる。バイアルアダプタは、調節器アセンブリを備えることができる。調節器アセンブリは、調節器基部、調節器基部と結合された調節器ネスト、および／または調節器基部および調節器ネストのうちの一方または両方によって少なくとも部分的に形成される貯蔵室を備えることができる。調節器アセンブリは、調節器基部および調節器ネストのうちの一方または両方に接続され、調節器基部および調節器ネストのうちの一方または両方の半径方向外側部分の周りに嵌合するカバーを備えることができる。いくつかの場合において、調節器アセンブリは、調節器ネストに接続され、収縮構成と拡張構成との間で移行するように構成されている可撓性エンクロージャを備える。いくつかの場合において、可撓性エンクロージャは、調節器アセンブリからカバーを取り除くか、または変更する前に拡張構成に移行することを阻止される。
2019503256.tif 000002
【特許請求の範囲】
【請求項１】
圧力調節バイアルアダプタであって、
コネクタ接続部と、
前記コネクタ接続部と連通する穿孔部材と、
調節器アセンブリであって、
貯蔵室と、
収縮構成で前記貯蔵室内に位置決めされ、拡張構成で拡張するように構成されている可撓性エンクロージャと、
前記調節器アセンブリの一部に接続される拡張阻止器であって、前記拡張阻止器は、前記可撓性エンクロージャが前記収縮構成から前記拡張構成に移動するときに前記拡張阻止器内で引き裂きを円滑にするように構成されている１つまたは複数の弱化した部分を備える、拡張阻止器と、
を備える、調節器アセンブリと、
を具備する圧力調節バイアルアダプタ。
【請求項２】
前記１つまたは複数の弱化した部分のうちの少なくとも１つは、ミシン目である請求項１に記載のバイアルアダプタ。
【請求項３】
前記拡張阻止器は、前記調節器アセンブリの側部の少なくとも一部の上に延在する請求項１に記載のバイアルアダプタ。
【請求項４】
前記拡張阻止器は、前記可撓性エンクロージャが前記収縮構成にあるときに開口を含む請求項１に記載のバイアルアダプタ。
【請求項５】
流体をバイアル内に注入する方法であって、
バイアルアダプタの穿孔部材を少なくとも部分的にバイアル内に挿入するステップと、
前記バイアルアダプタの調節器アセンブリからカバーを少なくとも部分的に取り除くステップであって、前記調節器アセンブリは、
調節器ネストと、
前記調節器アセンブリの半径方向外側部分の周上に嵌められているカバーと、
前記調節器ネストに接続され、収縮構成で調節器基部内の貯蔵室内に位置決めされるように構成され、拡張構成で前記調節器基部の外側に少なくとも部分的に位置決めされるように構成されている可撓性エンクロージャと、
を備える、ステップと、
前記バイアルアダプタのコネクタ接続部から前記穿孔部材を通して流体を注入するステップであって、それによって前記可撓性エンクロージャを拡張するステップと、
を含む方法。
【請求項６】
カバーを少なくとも部分的に取り除くステップは、前記可撓性エンクロージャを膨張させ、それによって前記カバーの引き裂きを引き起こすステップを含む請求項５に記載の方法。
【請求項７】
前記カバーの引き裂きを引き起こすステップは、前記カバーのミシン目付き部分の引き裂きを引き起こすステップを含む請求項６に記載の方法。
【請求項８】
カバーを少なくとも部分的に取り除く前記ステップは、流体を注入する前記ステップの前に順次実行される請求項５に記載の方法。
【請求項９】
前記可撓性エンクロージャを拡張する前記ステップは、前記カバーを少なくとも部分的に取り除く前記ステップの前には実行され得ない請求項５に記載の方法。
【請求項１０】
注射器を前記バイアルアダプタの前記コネクタ接続部に接続するステップを含む請求項５に記載の方法。
【請求項１１】
前記穿孔部材を通して流体を注入するステップは、前記バイアル内の圧力を高め、前記バイアル内の圧力を高めることは、流体を前記可撓性エンクロージャ内に導く請求項５に記載の方法。
【請求項１２】
前記カバーを少なくとも部分的に取り除く前記ステップの後に前記可撓性エンクロージャの拡張を介して前記バイアル内の圧力を低下させるステップを含む請求項５に記載の方法。
【請求項１３】
前記コネクタ接続部を介して前記バイアルから流体を抜き取るステップを含む請求項５に記載の方法。
【請求項１４】
流体を抜き取る前記ステップの少なくとも一部において吸気弁を介して外気を前記バイアルに導入するステップを含む請求項１３に記載の方法。
【請求項１５】
カバーを少なくとも部分的に取り除く前記ステップは、前記カバーに接続されているタブを引くステップを含む請求項５に記載の方法。
【請求項１６】
前記カバーを完全に取り除くステップを含む請求項５に記載の方法。
【請求項１７】
カバーを少なくとも部分的に取り除く前記ステップの前に前記可撓性エンクロージャの拡張を阻止するステップを含む請求項５に記載の方法。
【請求項１８】
バイアルアダプタであって、
コネクタ接続部と、
穿孔部材と、
調節器アセンブリであって、
貯蔵室と、
前記調節器アセンブリの外側部分に接続されかつ前記外側部分の周上に嵌められているカバーと、
収縮構成で前記貯蔵室内に位置決めされ、拡張構成に移行するように構成されている可撓性エンクロージャであって、前記可撓性エンクロージャは、前記調節器アセンブリから前記カバーを取り除くかまたは変更する前に前記拡張構成に移行することを阻止される、可撓性エンクロージャと、
を備える、調節器アセンブリと、
を具備するバイアルアダプタ。
【請求項１９】
前記可撓性エンクロージャは、前記バイアルアダプタの使用者によって前記調節器アセンブリから前記カバーを取り除く前に前記拡張構成に移行することを阻止される請求項１８に記載のバイアルアダプタ。
【請求項２０】
前記カバーは、使用者が前記調節器アセンブリから前記カバーの少なくとも一部分を取り除くまで前記可撓性エンクロージャを前記貯蔵室内に保持するように構成されている材料から製造される請求項１８に記載のバイアルアダプタ。
【請求項２１】
前記カバーは、前記カバーの少なくとも一部分が前記調節器アセンブリから使用者によって取り除かれる前に前記可撓性エンクロージャが前記貯蔵室の外側に拡張するのを防ぐように構成される方式で前記調節器アセンブリに接続される請求項１８に記載のバイアルアダプタ。
【請求項２２】
前記カバーは、前記調節器アセンブリから前記カバーが少なくとも部分的に取り除かれる前に使用者が前記貯蔵室にアクセスするのを阻止するように構成される請求項１８に記載のバイアルアダプタ。
【請求項２３】
前記カバーはミシン目を付けられており、前記可撓性エンクロージャの拡張に応答して裂けるように構成される請求項１８に記載のバイアルアダプタ。
【請求項２４】
バイアルアダプタを製造する方法であって、
１つまたは複数の吸気開口、ダイアフラム、および調節器ネストを備える調節器アセンブリに貯蔵室を設けるステップと、
前記１つまたは複数の吸気開口をフィルタで覆うステップと、
可撓性エンクロージャを前記貯蔵室内に、前記可撓性エンクロージャの内側が前記ダイアフラムと流体的に連通するように位置決めするステップと、
カバーを前記調節器アセンブリに、前記カバーを変更するかまたは取り除く前に前記可撓性エンクロージャが拡張して前記貯蔵室から出ることを阻止されるように接続するステップと、
を含む方法。
【請求項２５】
前記カバーの一部分にミシン目を付けるステップを含む請求項２４に記載の方法。
【請求項２６】
前記カバー上にタブを設けるステップを含む請求項２４に記載の方法。
【請求項２７】
前記可撓性エンクロージャは、使用者が前記調節器アセンブリから前記カバーの少なくとも一部分を取り除く前に拡張することを阻止される請求項２４に記載の方法。
【請求項２８】
バイアルアダプタを製造する方法であって、
コネクタ接続部と、前記コネクタ接続部と連通する穿孔部材と、を有する本体部分を準備するステップと、
調節器アセンブリを組み立てるステップであって、
内腔と結合するように構成されている突出部を有する基部を準備するステップと、
ネストを前記基部と結合し、前記ネストを少なくとも部分的に前記基部内に位置決めするステップであって、貯蔵室は、前記基部およびネストのうちの一方または両方によって少なくとも部分的に形成される、ステップと、
カバーを前記基部およびネストのうちの一方または両方に接続するステップであって、前記カバーは１つまたは複数の弱化した部分を有する、ステップと、
膨張性エンクロージャを収縮構成で前記ネスト内に位置決めするステップであって、前記膨張性エンクロージャは拡張構成に移行するように構成され、前記膨張性エンクロージャの拡張は、前記カバーの弱化した部分を引き裂くように構成される、ステップと、
を含む、ステップと、
を含む方法。
【発明の詳細な説明】
【技術分野】
【０００１】
関連出願
本出願は、参照により本明細書に組み込まれ、本明細書の一部をなす、２０１６年１月２９日に出願した「Pressure-Regulating Vial Adaptors」と題する米国仮特許出願第６２／２８８，９５０号の利益を主張するものである。
【０００２】
本明細書で開示されているいくつかの実施形態は、薬剤バイアルと結合するためのアダプタ、およびそのコンポーネント、ならびに蒸気を収容し、かつ／または薬剤バイアル内の圧力を調節するのを補助するための方法に関するものである。
【先行技術文献】
【特許文献】
【０００３】
【特許文献１】米国特許出願公開第２０１４／０２３０９３２号明細書
【特許文献２】米国特許第９，１３２，０６２号明細書
【特許文献３】米国特許出願公開第２０１５／００００７８７号明細書
【特許文献４】米国特許出願第１４／８０６，５２０号
【発明の概要】
【発明が解決しようとする課題】
【０００４】
薬剤または他の医療関係流体をバイアルまたは他の容器に貯蔵することは一般的に行われている。いくつかの場合において、こうして貯蔵されている薬剤または流体は、血流中に注入された場合には治療効果を有するが、吸入した場合、または皮膚露出部に接触した場合には有害である。潜在的に有害な薬剤をバイアルから抽出するためのいくつかの知られているシステムは、様々な欠点を抱えている。
【課題を解決するための手段】
【０００５】
流体をバイアル内に注入する方法は、バイアルアダプタの穿孔部材を少なくとも部分的にバイアル内に挿入するステップを含むことができる。いくつかの実施形態において、この方法は、バイアルアダプタの調節器アセンブリ(regulator assembly)からカバーを少なくとも部分的に取り除くステップを含む。いくつかの実施形態において、調節器アセンブリは、調節器基部を備える。調節器基部は、穿孔部材がバイアル内に少なくとも部分的に挿入されたときにバイアルと流体的に連通し得る。調節器センブリは、調節器ネスト(regulator nest)を備えることができる。いくつかの実施形態において、調節器ネストは、調節器基部と結合され、かつ／または調節器基部内に位置決めされる。いくつかの実施形態において、カバーは、調節器アセンブリの半径方向外側部分の周上に嵌められる。いくつかの場合において、調節器アセンブリは、可撓性エンクロージャを備える。可撓性エンクロージャは、調節器ネストに接続され、かつ／または収縮構成で調節器基部内の貯蔵室内に位置決めされるように構成され得る。いくつかの実施形態において、可撓性エンクロージャは、拡張構成で調節器基部の外側に少なくとも部分的に位置決めされるように構成される。いくつかの実施形態において、この方法は、カバーが調節器アセンブリから少なくとも部分的に取り除かれた後にバイアルアダプタのコネクタ接続部から流体を穿孔部材に通して注入するステップを含む。この方法は、カバーが調節器アセンブリから少なくとも部分的に取り除かれた後にのみ調節器ネストの外側に可撓性エンクロージャを拡張するステップを含むことができる。
【０００６】
いくつかの実施形態によれば、カバーを少なくとも部分的に取り除くステップは、可撓性エンクロージャを膨張させ、それによってカバーの引き裂きを引き起こすステップを含む。いくつかの実施形態によれば、カバーの引き裂きを引き起こすステップは、カバーのミシン目付き部分の引き裂きを引き起こすステップを含む。
【０００７】
いくつかの実施形態によれば、カバーを少なくとも部分的に取り除くステップは、流体を注入するステップの前に順次実行される。
【０００８】
いくつかの実施形態によれば、可撓性エンクロージャを拡張するステップは、カバーを少なくとも部分的に取り除くステップの前には実行できない。
【０００９】
いくつかの実施形態によれば、この方法は、注射器をバイアルアダプタのコネクタ接続部に接続するステップを含む。
【００１０】
いくつかの実施形態によれば、流体を穿孔部材に通して注入するステップはバイアル内の圧力を高め、バイアル内の圧力を高めることで流体を可撓性エンクロージャ内に導く。
【００１１】
いくつかの実施形態によれば、この方法は、カバーを少なくとも部分的に取り除くステップの後に可撓性エンクロージャの拡張を介してバイアル内の圧力を低下させるステップを含む。
【００１２】
いくつかの実施形態によれば、この方法は、コネクタ接続部を介してバイアルから流体を抜き取るステップを含む。
【００１３】
いくつかの実施形態によれば、この方法は、流体を抜き取るステップの少なくとも一部において吸気弁を介して外気をバイアルに導入するステップを含む。
【００１４】
いくつかの実施形態によれば、カバーを少なくとも部分的に取り除くステップは、カバーの少なくとも一部をミシン目に沿って引き裂くステップを含む。
【００１５】
いくつかの実施形態によれば、カバーを少なくとも部分的に取り除くステップは、カバーに接続されているタブを引っ張るステップを含む。
【００１６】
いくつかの実施形態によれば、この方法は、カバーを完全に取り除くステップを含む。
【００１７】
いくつかの実施形態によれば、この方法は、カバーを少なくとも部分的に取り除くステップの前に可撓性エンクロージャの拡張を阻止するステップを含む。
【００１８】
いくつかの実施形態によれば、バイアルアダプタは、コネクタ接続部を備えることができる。いくつかの実施形態において、バイアルアダプタは、穿孔部材を備える。穿孔部材は、コネクタ接続部および／または調節器内腔と部分的に連通するものとしてよい。いくつかの実施形態において、バイアルアダプタは、調節器アセンブリを備える。調節器アセンブリは、調節器基部を備えることができ、いくつかの実施形態において、調節器基部は、調節器内腔と結合するように構成されている結合突出部を有する。いくつかの実施形態において、調節器アセンブリは、調節器ネストを備える。調節器ネストは、調節器基部と結合され得る。いくつかの実施形態において、調節器アセンブリは、貯蔵室を備える。貯蔵室は、調節器基部および調節器ネストのうちの一方または両方によって少なくとも部分的に形成され得る。いくつかの実施形態において、調節器アセンブリは、カバーを備える。カバーは、調節器基部および調節器ネストの一方または両方に接続され得る。いくつかの実施形態において、カバーは、調節器基部および調節器ネストの一方または両方の半径方向外側部分の周上に嵌められる。いくつかの実施形態において、調節器アセンブリは、可撓性エンクロージャを備える。可撓性エンクロージャは、調節器ネストに接続され得る。いくつかの実施形態において、可撓性エンクロージャは、収縮構成で貯蔵室内に位置決めされるように構成され、かつ／または拡張構成で調節器基部の外側に少なくとも部分的に位置決めされるように構成される。いくつかの実施形態において、可撓性エンクロージャは、調節器アセンブリからカバーを取り除くかまたは変更する前に拡張構成に移行することを阻止される。
【００１９】
いくつかの実施形態によれば、可撓性エンクロージャは、バイアルアダプタの使用者により調節器アセンブリからカバーを取り除く前に拡張構成に移行することを阻止される。
【００２０】
いくつかの実施形態によれば、カバーは、使用者が調節器アセンブリからカバーの少なくとも一部分を取り除くまで可撓性エンクロージャを貯蔵室内に保持するように構成されている材料から製造される。
【００２１】
いくつかの実施形態によれば、カバーは、カバーの少なくとも一部分が調節器アセンブリから使用者によって取り除かれる前に可撓性エンクロージャが貯蔵室の外側に拡張するのを防ぐように構成される方式で調節器基部に接続される。
【００２２】
いくつかの実施形態によれば、カバーは、調節器アセンブリからカバーが少なくとも部分的に取り除かれる前に使用者が貯蔵室にアクセスするのを阻止するように構成される。
【００２３】
いくつかの実施形態によれば、可撓性エンクロージャは、使用者がカバーを調節器アセンブリから少なくとも部分的に取り除いた後でないと拡張しないように構成される。
【００２４】
いくつかの実施形態によれば、カバーはミシン目を付けられており、可撓性エンクロージャの拡張に応答して裂けるように構成されている。
【００２５】
いくつかの実施形態によれば、医療用アダプタは、密封容器と結合することができるものとしてよい。医療用アダプタは、ハウジングを備えることができる。ハウジングは、医療用コネクタ接続部を備えることができる。いくつかの実施形態において、ハウジングは、アクセス流路(access channel)を備える。アクセス流路は、密封容器から薬剤流体を取り除くことができるものとしてよく、医療用コネクタ接続部と遠位アクセスポート(distal access port)との間に拡張することができる。いくつかの実施形態において、ハウジングは、調節器流路(regulator channel)を備える。医療用アダプタは、調節器アセンブリを備えることができる。調節器アセンブリは、調節器流路と流体的に連通することができる。いくつかの実施形態において、調節器アセンブリは、貯蔵室を備える。いくつかの実施形態において、調節器アセンブリは、可撓性エンクロージャを備える。可撓性エンクロージャは、調節器流路と流体的に連通することができる。いくつかの実施形態において、可撓性エンクロージャは、可撓性エンクロージャが貯蔵室内に位置決めされる貯蔵構成と可撓性エンクロージャの少なくとも一部が貯蔵室の外側に位置決めされる展開構成との間で移行することができる。いくつかの実施形態において、可撓性エンクロージャは、貯蔵構成にあるときに貯蔵容積を、展開構成にあるときに展開容積を有する。いくつかの実施形態において、可撓性エンクロージャは、貯蔵構成にあるときに貯蔵幅を、展開構成にあるときに展開幅を有する。調節器センブリは、吸気弁を備えることができる。吸気弁は、可撓性エンクロージャと流体的に連通するものとしてよく、かつ／または可撓性エンクロージャと調節器流路との間に位置決めされ得る。いくつかの実施形態において、吸気弁は、開放構成と閉鎖構成との間で移行することができる。吸気弁は、吸気弁が開放構成にあるときに周囲環境から調節器アセンブリの内部への流体的連通を円滑にするように構成されるものとしてよい。いくつかの実施形態において、吸気弁は、中心開口および外周を有する可撓性円板を備える。いくつかの実施形態において、調節器アセンブリは、中心開口と外周との間に位置決めされた付勢構造を備える。いくつかの実施形態において、付勢構造は、吸気弁を閉鎖構成に付
勢するように構成される。
【００２６】
バイアルアダプタを製造する方法は、調節器基部を用意するステップを含むことができる。いくつかの実施形態において、調節器基部は、１つもしくは複数の結合特徴および／または１つもしくは複数の吸気開口を備える。いくつかの実施形態において、この方法は、１つまたは複数の吸気開口をフィルタで覆うステップを含む。いくつかの実施形態において、この方法は、調節器基部と接触するように円環状ダイアフラムを位置決めするステップを含む。この方法は、ダイアフラムが調節器基部と調節器ネストとの間に少なくとも部分的に位置決めされるように調節器ネストを調節器基部に結合するステップを含むことができる。いくつかの実施形態において、この方法は、可撓性エンクロージャの内部がダイアフラムと流体的に連通し、貯蔵構成にあるときに可撓性エンクロージャが貯蔵室内に位置決めされるように可撓性エンクロージャを調節器ネストに接続するステップを含む。この方法は、調節器基部および調節器ネストのうちの１つまたは複数からカバーの少なくとも一部を取り除く前に可撓性エンクロージャが拡張して貯蔵室から出るのを阻止されるようにカバーを調節器基部および調節器ネストのうちの１つまたは複数に接続するステップを含むことができる。
【００２７】
いくつかの実施形態によれば、この方法は、可撓性エンクロージャがバイアルアダプタの穿孔部分と流体的に連通するように調節器基部をバイアルアダプタの本体部分の内腔に接続するステップを含む。
【００２８】
いくつかの実施形態によれば、この方法は、カバーの一部にミシン目を付けるステップを含む。
【００２９】
いくつかの実施形態によれば、この方法は、タブをカバーに接続するステップを含む。
【００３０】
いくつかの実施形態によれば、この方法は、調節器基部および調節器ネストのうちの１つまたは複数からカバーの少なくとも一部を使用者が取り除く前に可撓性エンクロージャが拡張して貯蔵室から出るのを阻止されるようにカバーを調節器基部および調節器ネストのうちの１つまたは複数に接続するステップを含む。
【００３１】
いくつかの実施形態によれば、カバーは、可撓性エンクロージャの拡張に応答して裂けるように構成されている。
【００３２】
いくつかの実施形態によれば、バイアルアダプタは、コネクタ接続部を備える。バイアルアダプタは、穿孔部材を備えることができる。いくつかの実施形態において、穿孔部材は、コネクタ接続部と部分的に連通する。いくつかの実施形態において、バイアルアダプタは、コネクタ接続部から概ね垂直となるように半径方向外側に延在する内腔を備える。いくつかの実施形態において、バイアルアダプタは、調節器アセンブリを備える。調節器アセンブリは、調節器基部を備えることができる。調節器基部は、内腔と結合するように構成されている結合突出部を有することができる。いくつかの実施形態において、調節器アセンブリは、調節器ネストを備える。調節器ネストは、調節器基部と結合するように構成されるものとしてよく、かつ／または調節器基部内に位置決めされるものとしてよく、いくつかの実施形態において、調節器アセンブリは、調節器基部および調節器ネストの一方または両方によって少なくとも部分的に画成される貯蔵室を備える。いくつかの実施形態において、調節器アセンブリは、拡張阻止器を備える。拡張阻止器は、調節器基部および調節器ネストの一方または両方に接続され得る。いくつかの実施形態において、拡張阻止器は、調節器基部の結合突出部に対向する調節器アセンブリの側に開口を有する。いくつかの実施形態において、拡張阻止器は、１つまたは複数の弱化した部分を備える。調節器アセンブリは、可撓性エンクロージャを備えることができる。可撓性エンクロージャは、調節器ネストに接続され、かつ／または収縮構成で貯蔵室内に位置決めされるように構成され得る。可撓性エンクロージャは、拡張構成で調節器基部の外側に少なくとも部分的に位置決めされるように構成され得る。いくつかの実施形態において、可撓性エンクロージャの拡張は、拡張阻止器の弱化した部分を引き裂くように構成される。
【００３３】
いくつかの実施形態によれば、１つまたは複数の弱化した部分の少なくとも１つは、ミシン目である。
【００３４】
いくつかの実施形態によれば、拡張阻止器は、結合突出部に隣接する調節器アセンブリの側の少なくとも一部の上に、および結合突出部に対向する調節器アセンブリの側の少なくとも一部の上に載るように延在する。
【００３５】
いくつかの実施形態によれば、拡張阻止器の開口の幅は、結合突出部の軸に垂直に測定したときに、調節器アセンブリの幅の３／１０から１／２である。
【００３６】
バイアルアダプタを製造する方法は、コネクタ接続部を有する本体部分、コネクタ接続部と部分的に連通する穿孔部材、および／またはコネクタ接続部から概ね垂直になるように半径方向外側に延在する内腔を用意するステップを含むことができる。いくつかの実施形態において、この方法は、調節器アセンブリを組み立てるステップを含む。調節器アセンブリを組み立てるステップは、内腔と結合するように構成されている突出部を有する基部を用意するステップを含むことができる。いくつかの実施形態において、調節器アセンブリを組み立てるステップは、ネストを基部と結合するステップ、および／またはネストを基部内に少なくとも部分的に位置決めするステップを含む。いくつかの実施形態において、貯蔵室は、基部およびネストのうちの一方または両方によって少なくとも部分的に形成される。調節器アセンブリを組み立てるステップは、カバーを基部およびネストの一方または両方に接続するステップを含み得る。カバーは、基部の結合突出部および１つまたは複数の弱化した部分に対向する調節器アセンブリの側に開口を有することができる。いくつかの実施形態において、バイアルアダプタを製造する方法は、膨張性エンクロージャをネストに接続するステップを含む。いくつかの実施形態において、膨張性エンクロージャは、収縮構成で貯蔵室内に位置決めされるように構成され、拡張構成で基部の外側に少なくとも部分的に位置決めされるように構成される。いくつかの実施形態において、膨張性エンクロージャの拡張は、カバーの弱化した部分を引き裂くように構成される。
【００３７】
様々な実施形態が、例示することを目的として添付図面に示されており、決して実施形態の範囲に限定されるものとして解釈されるべきでない。それに加えて、異なる開示されている実施形態の様々な特徴を組み合わせることで、本開示の一部となる、追加の実施形態を形成することができる。
【図面の簡単な説明】
【００３８】
【図１】流体をバイアルから取り除くかつ／または流体をバイアル内に注入するためのシステムの概略を示す図である。
【図２】流体をバイアルから取り除くかつ／または流体をバイアル内に注入するための別のシステムの概略を示す図である。
【図２Ａ】流体をバイアルから取り除くかつ／または流体をバイアル内に注入するための別のシステムの概略を示す図である。
【図２Ｂ】膨張性エンクロージャが収縮位置にある、流体をバイアルから取り除くかつ／または流体をバイアル内に注入するための別のシステムの概略を示す図である。
【図２Ｃ】可撓性エンクロージャが拡張位置にある、図２Ｂのシステムの概略を示す図である。
【図３Ａ】別のバイアルアダプタの斜視図である。
【図３Ｂ】図３Ａのバイアルアダプタの別の斜視図である。
【図３Ｃ】図３Ａのバイアルアダプタの分解図である。
【図３Ｄ】図３Ａのバイアルアダプタの別の分解図である。
【図３Ｅ】図３Ａのバイアルアダプタの調節器基部の斜視図である。
【図３Ｆ】図３Ｅの調節器基部の別の斜視図である。
【図３Ｇ】図３Ａのバイアルアダプタの前面部分断面図である。
【図３Ｈ】ダイアフラム逆止弁が開位置にある、図３Ａのバイアルアダプタの前面部分断面図である。
【図３Ｉ】可撓性エンクロージャが拡張構成になっている、図３Ａのバイアルアダプタの前面部分断面図である。
【図３Ｊ】図３Ａのバイアルアダプタの部分断面斜視図である。
【図４Ａ】別のバイアルアダプタの前面部分断面図である。
【図４Ｂ】調節器アセンブリが４５°だけ軸の周りに回転された、図４Ａのバイアルアダプタの前面部分断面図である。
【図５Ａ】可撓性エンクロージャを畳む方法の一実施形態を示す図である。
【図５Ｂ】図５Ａの方法の一実施形態のステップを示す図である。
【図６Ａ】可撓性エンクロージャを畳む方法の一実施形態を示す図である。
【図６Ｂ】図６Ａの方法の一実施形態のステップを示す図である。
【図７】可撓性エンクロージャなしの調節器アセンブリの別の実施形態の右側面斜視図である。
【図８】図７の調節器アセンブリの左側面斜視図である。
【図９】可撓性エンクロージャなしの図７の調節器アセンブリの右側面平面図である。
【図１０】図９の切断面１０−１０に沿って見たときの、可撓性エンクロージャおよびカバーを有する図７の調節器アセンブリの前面断面図である。
【図１０Ａ】カバーにミシン目が付いている図７の調節器アセンブリの右側面平面図である。
【図１０Ｂ】ミシン目が付いているカバーが弱化した部分を有する図７の調節器アセンブリの右側面平面図である。
【図１０Ｃ】図９の切断面１０−１０に沿って見たときの、可撓性エンクロージャと、おタブを有するカバーと、を有している図７の調節器アセンブリの前面断面図である。
【図１０Ｄ】図１０Ｃの可撓性エンクロージャおよびカバーがある図７の調節器アセンブリの右側面平面図である。
【図１０Ｅ】図９の切断面１０−１０に沿って見たときの、可撓性エンクロージャおよびキャップを有する図７の調節器アセンブリの前面断面図である。
【図１０Ｆ】図１０Ｅのキャップがある図７の調節器アセンブリの右側面平面図である。
【図１１】図７の調節器アセンブリの調節器基部の右側面斜視図である。
【図１２】図７の調節器アセンブリの調節器ネストの左側面斜視図である。
【図１３】図９の切断面１３−１３に沿って見たときの、図７の調節器アセンブリの調節器基部の前面断面図である。
【図１４】バイアルアダプタの調節器アセンブリの別の実施形態の前面部分断面図である。
【図１５】ミシン目が付いている部分が複数あるカバーを有する、図１４の調節器アセンブリの右側面平面図である。
【図１６】単一のミシン目付き部分があるカバーを有する、図１４の調節器アセンブリの右側面平面図である。
【図１７】図１４の調節器アセンブリを備えるバイアルアダプタの斜視図である。
【発明を実施するための形態】
【００３９】
本明細書では特定の実施形態および例が開示されているが、本発明の発明対象は、具体的に開示された実施形態における例を超えて、他の代替的実施形態および／または用途、ならびにその変更形態および等価物に拡大適用される。そこで、本明細書に添付されている請求項の範囲は、以下で説明されている特定の実施形態のどれにも限定されない。たとえば、本明細書で開示されている方法またはプロセスにおいて、この方法またはプロセスの活動または動作は、好適な順序で実行されるものとしてよく、必ずしも特定の開示されている順序に限定されない。様々な動作は、次いでいくつかの実施形態の理解に役立ち得る形で、複数の離散的な動作として記述され得るが、記述の順序は、これらの動作が順序に依存することを意味すると解釈されるべきでない。それに加えて、本明細書で説明されている構造、システム、および／またはデバイスは、一体型コンポーネントとして、または個別のコンポーネントとして具現化され得る。様々な実施形態を比較することを目的として、これらの実施形態のいくつかの態様および利点が説明される。必ずしもそのようなすべての態様または利点が特定の実施形態によって達成されるとは限らない。そこで、たとえば、様々な実施形態は、本明細書でも教示または示唆され得るような他の態様または利点を必ずしも達成することなく本明細書で教示されているような１つの利点または複数の利点の群を達成または最適化する形で実施され得る。
【００４０】
いくつかの実施形態を示している図面は、未完の図であり、正確な縮尺でないが、特に、寸法のいくつかは表示をわかりやすくするためのものであり、図面中で大きく誇張されて示されている。
【００４１】
解説を目的として、本明細書で使用されているような「水平」という用語は、向きに関係なく、説明されているデバイスが使用されるかまたは説明されている方法が実行される領域の床の平面または表面に対して平行な平面として定義される。「床」という用語は、「地面」という用語と置換することができる。「垂直」という用語は、ちょうど定義されたばかりの水平に対して直角の方向を指す。「より上」、「より下」、「底」、「頂」、「側」、「より高い」、「下側」、「上側」、「真上」、および「真下」などの言い回しは、水平な平面に関して定義される。
【００４２】
多数の薬剤および他の治療流体は、様々な形状およびサイズの薬剤バイアルまたは他の容器内に貯蔵されて、分配される。これらのバイアルは、貯蔵されている流体の汚染または漏出を防ぐため気密封止されている。密封されたバイアルの内側と流体が後に取り除かれる特定の大気圧との間の圧力差は、様々な問題を引き起こすことが多く、また潜在的に有害な蒸気の放出にもつながる。
【００４３】
たとえば、バイアルの隔壁を通してバイアルアダプタの穿孔部材を導入すると、バイアル内の圧力が上昇する可能性がある。この圧力上昇は、流体がバイアルから隔壁と穿孔部材の接続部またはアダプタと注射器などの医療デバイスの取り付け接続部のところで漏出する事態を引き起こし得る。また、空の注射器、または医療器具を使用して密封されたバイアルから正確な量の流体を引き出すことが困難な場合があるが、それは、注射器プランジャが外されると流体が自然に付勢されてバイアル内に戻されることがあるからである。さらに、注射器がバイアルから結合解除されたときに、圧力差によって、一定量の流体が注射器またはバイアルから吹き出すことも多い。
【００４４】
さらに、いくつかの場合において、流体をバイアル内に導入すると、バイアル内の圧力が高まり得る。たとえば、いくつかの場合において、溶媒（無菌食塩水など）をバイアル内に導入して、たとえば、バイアル内の凍結乾燥された医薬品を戻すことが望ましいことがある。このように流体をバイアル内に導入すると、バイアル内の圧力が周囲環境の圧力より高くなることがあり、その結果、流体がバイアルから隔壁と穿孔部材の接続部またはアダプタと注射器などの医療デバイスの取り付け接続部のところで漏出する可能性がある。さらに、バイアル内の圧力が増大すると、注射器または他の医療器具を使って、正確な量の流体をバイアル内に導入することが困難になる可能性がある。また、バイアルの内側の圧力が周囲圧力（たとえば、大気圧）より大きいときに注射器がバイアルから外された場合、圧力勾配によって流体の一部がバイアルから吹き出すことがある。
【００４５】
それに加えて、多くの場合において、流体がバイアルから引き出されるときに気泡が注射器内に引き込まれる。そのような気泡は、患者に注射される場合に結果としてこれらが塞栓を引き起こす可能性があるため一般的に望ましくない。バイアルから取り除いた後に注射器から気泡を取り除くため、医療専門家は、多くの場合、注射器を軽く振って、すべての気泡を注射器の開口部の近くに集めてから気泡を外に押し出す。そうする際に、少量の液体が、通常は、注射器から追い出されるということにもなる。医療関係者は、一般的に、気泡および流体を追い出す前に注射器をバイアルと再結合する特別な処置を実施しない。いくつかの場合において、これは、法律と規制法によって禁止すらされていることもある。このような法律および規制法は、いくつかの場合においてバイアルの外側のある位置で引き込みすぎた流体を追い出すことを義務付けている場合もある。さらに、バイアル内に余分な空気または流体を再挿入しようとした場合に、圧力差がときには引き込まれた流体の不正確な測定を生じさせることがある。
【００４６】
圧力差によって引き起こされるこれらの問題を解消するために、医療専門家は、頻繁に、バイアルから引き込むことを意図している流体の体積に対応する正確な体積の外気を空の注射器に事前に充填する。次いで、医療専門家は、バイアルを穿孔し、この外気をバイアル内に追い込み、バイアル内の圧力を一時的に高める。所望の体積の流体が後で引き出されるときに、注射器の内側とバイアルの内側との間の圧力差は、概ね平衡状態に近い。次いで、注射器内の流体体積をわずかに調整することで、バイアルと注射器との間の明らかな圧力差を結果としてもたらすことなく気泡を取り除くことができる。しかし、このアプローチには、特に病院環境においては、外気が様々な空気中に浮遊するウイルス、細菌、ほこり、胞子、かび、および他の不衛生で有害な汚染物質を収容し得るという著しい不利点がある。注射器内の事前充填された外気は、これらの有害な物質の１つまたは複数を含んでいる可能性があり、その後、バイアル内の薬剤または他の治療流体と混じり合う可能性がある。この汚染された流体が、患者の血流中に直接注入された場合、空気中に浮遊する病原菌に対する身体の自然防御機構の多くを回避するので特に危険であり得る。さらに、薬剤および他の治療流体を必要とする患者は、感染と戦う能力の低下を被っている可能性が高い。
【００４７】
腫瘍薬およびいくつかの他の薬物を背景として、前記の問題のすべてが特に重大なものとなり得る。このような薬物は、患者の血流中に注入されたときに有益ではあるけれども、吸入するかまたは触れた場合に極端に有害なものとなる可能性がある。したがって、このような薬物は、圧力差によってバイアルから不意に吹き出ることを可能にした場合に危険であり得る。さらに、これらの薬物は、多くの場合、揮発性であり、外気に曝されたときに瞬時にエアロゾル化する可能性がある。したがって、たとえ制御されながらであっても注射器から気泡または過剰な流体を取り除くために少量のそのような薬物を追い出すことは、一般的に、特にそのような活動を日に何回も繰り返すことのある医療従事者にとって実現可能な選択肢ではない。
【００４８】
いくつかのデバイスでは、硬質エンクロージャを使用して、容器内の圧力を調節する作業を補助するための容積変化コンポーネントまたは領域のすべてもしくは一部を囲む。このようなエンクロージャは剛性を付与し得るけれども、一般的には、デバイスをかさばらせ、バランスの悪いものにする。このようなデバイスをバイアルと結合すると、一般的に、頂部が重い不安定なシステムができあがり、転倒し、場合によっては、デバイスおよび／またはバイアルの内容物をこぼしてしまいがちである。
【００４９】
実際、このような結合デバイスのいくつかは、片持ち梁状であるか、またはデバイスの軸上の中心から一定距離のところに他の何らかの形で配設される、比較的大きくかつ／または重い硬質コンポーネントを備え、そのため、デバイスが転倒する傾向を悪化させる。
【００５０】
それに加えて、このような硬質エンクロージャは、デバイスのサイズを増大させることがあり、それにより、デバイスを形成するために材料を増やす必要が生じ、またデバイスの製造、輸送、および／または保管に関わるコストも他の何らかの形で増加させ得る。さらに、そのような硬質エンクロージャは、調節流体をバイアルに送出するためにデバイスが拡大または縮小する能力も妨げ得る。本明細書で開示されているいかなる特徴体、構造、またはステップも本質的でなく、また不可欠でもない。
【００５１】
図１は、アクセス機構(accessor)２０および調節器３０と結合され得る、薬剤バイアルなどの容器１０の概略図である。いくつかの配置構成において、調節器３０は、容器１０内の圧力の著しい変化を引き起こすことなくアクセス機構２０を介して容器１０の内容物の一部または全部を取り除くことを可能にする。
【００５２】
一般に、容器１０は、無菌環境において容器１０の内容物を保存するために気密封止される。容器１０は、封止後に、空気を抜かれるか、または加圧され得る。いくつかの場合において、容器１０は、薬物または他の医療流体などの液体を部分的にまたは完全に充填される。このような場合、１つまたは複数の種類のガスも容器１０内に封止され得る。いくつかの場合において、凍結乾燥医薬品などの固体または粉末状物質が、容器１０内に配設される。
【００５３】
アクセス機構２０は、一般的に、内容物が取り除かれるか、または追加され得るように容器１０の内容物へのアクセス手段を提供するものである。いくつかの配置構成において、アクセス機構２０は、容器１０の内側と外側との間に開口部を備える。アクセス機構２０は、容器１０の内側と外側との間に通路をさらに備えることができる。いくつかの構成では、アクセス機構２０の通路は、選択的に開閉され得る。いくつかの配置構成において、アクセス機構２０は、容器１０の表面を貫通する導管を備える。アクセス機構２０は、封止の前に容器１０と一体形成されるか、または容器１０が封止された後に容器１０に導入されてもよい。
【００５４】
いくつかの構成では、アクセス機構２０は、矢印２１によって示されているように、容器１０と流体的に連通している。これらの構成のうちのいくつかにおいて、容器１０の内側の圧力が周囲環境の圧力から変化した場合、アクセス機構２０を容器１０に導入するとアクセス機構２０を通して移動が生じる。たとえば、いくつかの配置構成において、容器１０を囲む環境の圧力は、容器１０内の圧力を超え、これにより、アクセス機構２０を容器中に挿入した後に外気が環境からアクセス機構２０を通って流入し得る。他の配置構成では、容器１０の内側の圧力が、周囲環境の圧力を超え、これにより容器１０の内容物はアクセス機構２０を通って流出する。
【００５５】
いくつかの構成において、アクセス機構２０は、交換デバイス４０と結合される。いくつかの場合において、アクセス機構２０および交換デバイス４０は分離可能である。いくつかの場合において、アクセス機構２０および交換デバイス４０は一体形成される。交換デバイス４０は、アクセス機構２０を介して容器１０から流体および／またはガスを受け入れるか、アクセス機構２０を介して容器１０に流体および／またはガスを導入するか、またはこれら２つの操作の何らかの組合せを実行するように構成される。いくつかの配置構成において、交換デバイス４０は、矢印２４によって示されているように、アクセス機構２０と流体的に連通している。いくつかの構成において、交換デバイス４０は、注射器などの医療器具を備える。
【００５６】
いくつかの場合において、交換デバイス４０は、アクセス機構２０を介して容器１０の内容物の一部または全部を取り除くように構成される。いくつかの配置構成において、交換デバイス４０は、容器１０の内側と周囲環境との間で圧力差があることまたは圧力差がないことに関係なく内容物を取り除くことができる。たとえば、容器１０の外側の圧力が容器１０内の圧力を超える場合、注射器を備える交換デバイス４０は、注射器からプランジャを抜き取る十分な力が加えられた場合に容器１０の内容物を取り除くことができる。交換デバイス４０は、容器１０の内側と周囲環境との間の圧力差に関係なく容器１０に流体および／またはガスを同様に導入することができる。
【００５７】
いくつかの構成において、調節器３０は、容器１０と結合される。調節器３０は、一般的に、容器１０内の圧力を調節するものである。本明細書で使用されているように、「調節する」という語、またはその派生語は、通常の意味で使用される広義語であり、別に断りのない限り、能動的な、肯定的な、もしくはポジティブな活動、または変化をもたらす傾向を有する受動的な、反応する、応答する、適応する、または補償する活動を含む。いくつかの場合において、調節器３０は、容器１０の内側と周囲環境との間で、圧力差または平衡状態を実質的に維持する。本明細書で使用されているように、「維持する」という語、またはその派生語は、通常の意味で使用される広義語であり、状況において適切である限り小さなある程度の変化を許容して一定期間元の状態を保持する傾向を含む。いくつかの場合において、調節器３０は、容器１０内で実質的に一定の圧力を維持する。いくつかの場合において、容器１０内の圧力の変化は、約１ｐｓｉ以下、約２ｐｓｉ以下、約３ｐｓｉ以下、約４ｐｓｉ以下、または約５ｐｓｉ以下である。さらに別の場合において、調節器３０は、容器１０の内容物にかかる圧力を等しくする。本明細書で使用されているように、「均等にする」という語、またはその派生語は、通常の意味で使用される広義語であり、状況において適切である限り小さなある程度の変化を許容して量を同じにするか、または同じ量に近づける傾向を含む。いくつかの構成において、調節器３０は、容器１０の内側と、容器１０を囲む環境または交換デバイス４０内の環境などの、他の何らかの環境との間の圧力差を均等にすることを可能にするか、または均等にすることを促すように容器１０と結合される。いくつかの配置構成において、単一のデバイスは、調節器３０およびアクセス機構２０を備える。他の配置構成では、調節器３０およびアクセス機構２０は個別ユニットである。
【００５８】
調節器３０は一般に、矢印３１によって示されているように、容器１０と、また別の矢印３５によって示されているように、貯蔵槽５０と、流体的に連通している。いくつかの構成において、貯蔵槽５０は、容器１０を囲む環境の少なくとも一部を含む。いくつかの構成において、貯蔵槽５０は、容器、キャニスター、袋、または調節器３０専用の他のホルダーを備える。本明細書で使用されているように、「袋」という語、またはその派生語は、通常の意味で使用される広義語であり、たとえば、可撓性の、柔軟な、曲げやすい、弾性のある、伸縮性のある、かつ／または膨張性の材料を含む構造を備える、サック、バルーン、ブラダー、レセプタクル、エンクロージャ、ダイアフラム、または拡大および／もしくは縮小可能な膜を含む。いくつかの実施形態では、貯蔵槽５０には、気体および／または液体が入る。本明細書で使用されているように、「可撓性」という語、またはその派生語は、通常の意味で使用される広義語であり、たとえば、（たとえば、アクセス機構２０を介して）流体が容器１０に流れ込むかまたは流れ出すときにコンポーネントが曲がるか、拡張するか、収縮するか、折り畳まれるか(fold)、畳んだ状態から広がるか(unfold)、または他の何らかの形で実質的に変形または形状を変える能力を記述する。また、本明細書で使用されているように、「硬質」という語、またはその派生語は、通常の意味で使用される広義語であり、たとえば、（たとえば、アクセス機構２０を介して）流体が容器１０に流れ込むかまたは流れ出すときにコンポーネントが一般的に通常の使用で実質的変形を回避する能力を記述する。
【００５９】
いくつかの実施形態において、調節器３０は、容器１０と貯蔵槽５０との間に流体的連通をもたらす。そのような実施形態のうちのいくつかにおいて、貯蔵槽５０内の流体は、容器１０の液体内容物を大きく希釈することのないように主にガスを含む。いくつかの配置構成において、調節器３０は、容器１０に入るガスまたは液体を精製するか、または汚染物質を除去するためのフィルタを備え、これにより、容器１０の内容物を汚染する危険性を低減する。いくつかの配置構成において、フィルタは、空気は容器１０に入ることができるが流体はそこから漏出できないように疎水性である。いくつかの構成において、調節器３０は、容器１０とフィルタとの間の流体的連通を選択的に阻止する向きで作動するか、または向きに敏感な逆止弁を備える。いくつかの構成において、調節器３０は、弁および／または容器１０が調節器３０より上に（たとえば、調節器３０からよりも床から遠くに）保持されるように配置されたときに容器１０とフィルタとの間の流体的連通を選択的に阻止する逆止弁を備える。
【００６０】
いくつかの実施形態では、調節器３０は、容器１０と貯蔵槽５０との間の流体的連通を妨げる。そのような実施形態のうちのいくつかにおいて、調節器３０は、容器１０と貯蔵槽５０との間の接続部として働く。いくつかの配置構成において、調節器３０は、ガスおよび／または液体が容器１０内に流入すること、またはガスおよび／または液体が容器１０から流出することに対応できる実質的に不浸透性の袋を備える。
【００６１】
図２に概略が例示されているように、いくつかの実施形態において、アクセス機構２０またはそのある部分は、容器１０内に配置される。上で詳しく説明されているように、アクセス機構２０は、容器１０と一体形成され得るか、または容器１０から分離していてもよい。いくつかの実施形態において、調節器３０またはそのある部分は、容器１０の外側に配置される。いくつかの配置構成において、調節器３０は、容器１０と一体形成される。容器１０内に全体的にもしくは部分的に入れるか、もしくは容器１０の外側に置いたアクセス機構２０もしくはその一部、および／または容器１０内に全体的にもしくは部分的に入れるか、もしくは容器１０の外側に置いた調節器３０もしくはその一部の、任意の組合せを有することが可能である。
【００６２】
いくつかの実施形態において、アクセス機構２０は、容器１０と流体的に連通している。さらなる実施形態において、アクセス機構２０は、矢印２４によって示されているように、交換デバイス４０と流体的に連通している。
【００６３】
調節器３０は、容器１０と流体的にまたは非流体的に連通することができる。いくつかの実施形態において、調節器３０は、全体的に容器１０の外側に配置される。そのような実施形態のうちのいくつかにおいて、調節器３０は、容器１０内の実質的に一定の圧力を維持するため容器１０の外部で拡大または縮小するように構成された閉じられた袋を備える。いくつかの実施形態において、調節器３０は、矢印３５によって示されているように、貯蔵槽５０と流体的または非流体的のいずれかで連通している。
【００６４】
図２Ａに概略が例示されているように、いくつかの実施形態において、アクセス機構２０またはそのある部分は、容器１０内に配置され得る。いくつかの実施形態において、アクセス機構２０またはそのある部分は、容器１０の外側に配置され得る。いくつかの実施形態において、弁２５またはそのある部分は、容器１０の外側に配置され得る。いくつかの実施形態において、弁２５またはそのある部分は、容器１０内に配置され得る。いくつかの実施形態において、調節器３０は、全体的に容器１０の外側に配置される。いくつかの実施形態において、調節器３０またはそのある部分は、容器１０内に配置され得る。容器１０内に全体的にもしくは部分的に入れるか、もしくは容器１０の外側に置いたアクセス機構２０もしくはその一部、および／または容器１０内に全体的にもしくは部分的に入れるか、もしくは容器１０の外側に置いた弁２５またはその一部の、任意の組合せを有することが可能である。容器１０内に全体的にもしくは部分的に入れるか、もしくは容器１０の外側に置いたアクセス機構２０もしくはその一部、および／または容器１０内に全体的にもしくは部分的に入れるか、もしくは容器１０の外側に置いた調節器３０もしくはその一部の、任意の組合せを有することも可能である。
【００６５】
アクセス機構２０は、矢印２１によって示されているように、容器１０と流体的に連通し得る。いくつかの実施形態において、アクセス機構２０は、矢印２４によって示されているように、交換デバイス４０と流体的に連通し得る。
【００６６】
いくつかの実施形態において、調節器３０は、矢印３２によって示されているように、弁２５と流体的または非流体的に連通しているものとしてよい。いくつかの実施形態において、弁２５は、容器１０と一体形成され得るか、または容器１０から分離していてもよい。いくつかの実施形態において、弁２５は、調節器３０と一体形成され得るか、または調節器３０から分離していてもよい。いくつかの実施形態において、弁２５は、矢印３３によって示されているように、容器１０と流体的または非流体的に連通しているものとしてよい。
【００６７】
いくつかの実施形態において、調節器３０は、矢印３５Ａによって示されているように、周辺環境と流体的または非流体的に連通しているものとしてよい。いくつかの実施形態において、調節器３０は、矢印３５Ｂによって示されているように、貯蔵槽５０と流体的または非流体的に連通しているものとしてよい。いくつかの実施形態において、貯蔵槽５０は、袋または他の可撓性エンクロージャを備えることができる。いくつかの実施形態において、貯蔵槽５０は、可撓性エンクロージャを囲む硬質容器を備える。いくつかの実施形態において、貯蔵槽５０は、部分的に硬質であるエンクロージャを備える。
【００６８】
いくつかの構成によれば、調節器３０は、フィルタを備えることができる。いくつかの実施形態において、フィルタは、弁２５と貯蔵槽５０または周辺環境との間で液体および／または汚染物質が通過するのを選択的に阻止することができる。いくつかの実施形態において、フィルタは、貯蔵槽５０または周辺環境と弁２５との間で液体および／または汚染物質が通過するのを選択的に阻止することができる。
【００６９】
いくつかの実施形態において、弁２５は、一方向逆止弁であってよい。いくつかの実施形態において、弁２５は、二方弁であってよい。いくつかの構成によれば、弁２５は、フィルタおよび／または貯蔵槽５０と容器１０との間の液体による連通を選択的に阻止することができる。いくつかの実施形態において、弁２５は、容器１０が交換デバイス４０より上に配置されているときに容器１０とフィルタおよび／または貯蔵槽５０との間の液体による連通を選択的に阻止することができる。
【００７０】
図２Ｂおよび図２Ｃに概略が例示されているように、いくつかの実施形態において、貯蔵槽５０は、調節器３０内に少なくとも部分的に配置され得る。調節器３０は、矢印３２および３３によって例示されているように、容器１０と流体的に連通し得る。いくつかの実施形態において、弁２５は、容器１０と調節器３０との間の流体経路内に配置される。調節器３０は、流体がバイアル１０内に導入されかつ／またはバイアル１０から抜き取られるときに容器１０内の圧力を実質的に一定に維持するように構成され得る。たとえば、いくつかの実施形態では、貯蔵槽５０は、アクセス機構２０を介して、または他の何らかの方法で流体が容器１０内に加えられた後に、（たとえば、図２Ｂに例示されているような）収縮したもしくは主に内部的な構成から主に外部的なもしくは（たとえば、図２Ｃに例示されているような）拡張した構成に移行するように構成される。本明細書で使用されているように「拡張される(expanded)」という語は、広義の通常の意味で使用され、展開される(deployed)、未貯蔵(unstored)、折り畳まれているものが広げられる、延伸される(stretched)、伸長される(extended)、巻かれているものが広げられる(unrolled)、巻き上げられたものが広げられる(unfurled)、またはこれらの組合せを含む、図に示されているような構成を含む。本明細書で使用されているように、「収縮される(contracted)」は、広義の通常の意味で使用され、貯蔵される(stored)、非展開(undeployed)、折り畳まれる、詰め込まれる(compacted)、未延伸(unstretched)、非伸長(unextended)、巻かれる(rolled)、巻き上げられる(furled)、またはこれらの組合せを含む、図に示されているものなどの構成を含む。図面に示されているように、「拡張される」もしくは「収縮される」もしくはこれらの単語の変形または類似の用語は、可能な最も完全な程度まで、完全にもしくは全体として拡張するか、または収縮することを必要としない。
【００７１】
いくつかの実施形態において、貯蔵槽５０は、貯蔵槽５０が収縮構成にあるときに調節器３０内に完全に収容される。このようないくつかの実施形態では、キャップまたは他の封入構造が、調節器３０内に貯蔵槽５０を閉じ込めることができる。いくつかの実施形態において、貯蔵槽５０は、調節器３０内に部分的に封入される。封入構造および／または調節器３０は、貯蔵槽５０が収縮構成にあるときに貯蔵槽５０へのアクセス（たとえば、物理的接触）を制限するか、または妨げ得る。
【００７２】
いくつかの実施形態において、収縮構成をとる貯蔵槽５０の容積は、容器１０の容積よりも実質的に小さい。たとえば、収縮された貯蔵槽５０の容積は、容器１０内の容積の約２０％以下であり、かつ／または容器１０内の容積の約２％以上であり得る。いくつかの実施形態において、収縮された貯蔵槽５０の容積は、容器１０の容積の約５％である。収縮された貯蔵槽５０が収容される調節器３０の部分の容積は、収縮された貯蔵槽５０の容積にほぼ等しいものとしてよい。いくつかの実施形態において、収縮された貯蔵槽５０が収容される調節器３０の部分の容積は、収縮された貯蔵槽５０の容積の約１０５％以上であり、かつ／または収縮された貯蔵槽５０の容積の約１２０％未満である。
【００７３】
貯蔵槽５０の少なくとも一部は、貯蔵槽５０が拡張構成に移行したときに調節器３０の外側に拡張し得る。いくつかの実施形態において、図示されているように、貯蔵槽５０の容積封入領域の実質的にすべてが主に外部の位置にある調節器３０の外部に移動し得る。この構成をとる貯蔵槽５０の容積は、収縮構成をとる貯蔵槽５０の容積よりも実質的に大きいものとしてよい。たとえば、拡張構成をとる貯蔵槽５０の容積は、容器１０の容積の約１５％以上であり、かつ／または容器１０の容積の約７０％未満であり得る。いくつかの実施形態において、拡張された貯蔵槽５０の容積は、容器１０の容積の約５０％である。多くの変更形態が可能である。
【００７４】
図３Ａ〜図３Ｊは、バイアルアダプタ１００の一実施形態を例示している。バイアルアダプタ１００は、コネクタ接続部１４０を備えることができる。コネクタ接続部１４０は、バイアルアダプタ１００を医療用コネクタ（図示せず）（たとえば、ルアーコネクタもしくは他の医療用コネクタ）、別の医療用デバイス（図示せず）、または流体をバイアル（図示せず）から抽出するか、もしくは流体をバイアル（図示せず）内に注入する際に使用される他の器具と結合することを円滑にするように構成され得る。バイアルアダプタ１００は、バイアルアダプタ１００がバイアルと結合されたときにバイアルから蒸気または他の有害な物質が放出されるのを阻止するか、または防ぐように構成され得る。
【００７５】
バイアルアダプタ１００は、本体部分１８０を備えることができる。本体部分１８０は、中心部分１８１を備えることができる。いくつかの実施形態において、中心部分１８１は湾曲している。いくつかの実施形態において、本体部分は、（たとえば、対向していてよい）１つまたは複数の脚部１８２を備える。脚部１８２の各々またはいずれかは、本体部分１８０の中心部分１８１によって脚部１８２の近位端で支持され得る。いくつかの実施形態において、脚部１８２の遠位端は、脚部１８２が撓ませられるように無制約である。本体部分１８０は、バイアルに取り外し可能に固定され得る（図示せず）。いくつかの実施形態において、本体部分１８０は単一のタブのみを含み、この単一のタブはバイアルアダプタ１００をバイアルの外面に取り外し可能に固定し、バイアルからバイアルアダプタ１００を取り外しやすくするように構成される。
【００７６】
バイアルアダプタ１００は、穿孔部材１２０を備えることができる。穿孔部材１２０は、本体部分１８０によって支持され得る。穿孔部材１２０は、本体部分１８０の中心部分１８１から遠位に突出するものとしてよい。いくつかの実施形態において、穿孔部材１８０は、アクセス流路１４５と調節器流路１２５とを備える。いくつかの実施形態において、調節器流路１２５は、遠位調節器開口１２８ａから始まり、穿孔部材１２０を概ね通過し、コネクタ接続部１４０から半径方向外側に延在する内腔１２６を通過し、近位調節器開口１２８で終端する。いくつかの実施形態において、内腔１２６は、ただ１つの方向にコネクタ接続部１４０から半径方向外側に延在する。いくつかの実施形態において、内腔１２６は、複数の方向に（たとえば、２つの反対の方向に）コネクタ接続部１４０から半径方向外側に延在する。たとえば、内腔１２６は、コネクタ接続部１４０を貫通し、第２の内腔１２９に届くものとしてよい。可撓性エンクロージャ１５４は、図３Ｇ〜図３Ｉに示されているように、貯蔵室１９６内に貯蔵されているが、図３Ｃ、図３Ｄ、および図３Ｊを含む、図３Ａ〜図３Ｊに示されている図のいくつかは、アダプタ１００の貯蔵室１９６内に位置決めされた可撓性エンクロージャ１５４の図を含まない。
【００７７】
いくつかの実施形態において、調節器アセンブリ１５０は、調節器ネスト１９０と結合する（たとえば、解放可能に結合するか、または固定して結合する）ように構成されている調節器基部を備える。調節器基部１３０は、硬質または半硬質材料から製造され得る。いくつかの実施形態において、調節器基部１３０は、ポリマー（たとえば、ポリカーボネートプラスチック）から製造される。調節器基部１３０は、結合突出部１８５ａを備えることができる。いくつかの実施形態において、結合突出部１８５ａは、結合通路１３１（たとえば、調節器アセンブリ流路）を画成する。結合突出部１８５ａは、バイアルアダプタ１００の内腔１２６と結合するように構成され得る。たとえば、結合突出部１８５ａは、バイアルアダプタ１００の内腔１２６の内側断面と概ね一致するようなサイズおよび形状を有する外側断面形状（たとえば、円形、卵形、多角形、または他の形状）を有する。いくつかの実施形態において、結合突出部１８５ａは、内腔１２６内に摩擦嵌めで嵌合するように構成され得る。いくつかの実施形態において、結合突出部１８５ａを内腔１２６に貼り付けるために、１つまたは複数の超音波溶接、のり、または接着剤などの１つまたは複数の取り付け手段が使用される。図３Ｇに例示されているように、結合通路１３１は、結合突出部１８５ａが内腔１２６に結合されるかまたは他の何らかの形で結合されたときにバイアルアダプタ１００の調節器流路１２５と流体的に連通し得る。たとえば、結合突出部１８５ａは、弁１７０と内腔１２６の近位端との間で調節器流路１２５の一部によって画成される近位通路（たとえば、近位調節器通路）と結合され得る。いくつかの実施形態において、調節器アセンブリ１５０は、調節器流路１２５または内腔１２６内に弁を備えない。
【００７８】
図３Ｄに例示されているように、調節器基部１３０は、結合突出部１８５ａが延在する方向からとは概ね反対の方向に調節器基部１３０から延在する基部突出部１３３を備え得る。基部突出部１３３は、外幅（たとえば、外径）Ｄ４を有することができる。基部突出部１３３の内壁は、結合通路１３１の一部を含み得る。調節器基部１３０は、いくつかの実施形態において、軸方向突起部１４６を備え得る。軸方向突起部１４６は、基部突出部１３３と同じ方向に調節器基部１３０から延在し得る。軸方向突起部１４６は、いくつかの実施形態において、概ね円環状の形状を有するものとしてよい。いくつかの実施形態において、軸方向突起部１４６は、概ね卵形の形状、概ね多角形の形状、概ね円形の形状、または他の適切な形状を有する。
【００７９】
いくつかの実施形態において、フィルタ空洞１４７（たとえば、フィルタ室）は、基部突出部１３３と軸方向突起部１４６との間の空間内に位置決めされ得る（たとえば、内腔１２６の一部を囲む）。フィルタ空洞１４７の内幅は、基部突出部１３３の幅Ｄ４であり得る（たとえば、フィルタ空洞１４７の内壁は幅Ｄ４を有し得る）。フィルタ空洞１４７の外幅Ｄ９は、軸方向突起部１４６の内幅であり得る（たとえば、フィルタ空洞１４７の外壁は軸方向突起部１４６の幅に実質的に等しい幅を有し得る）。いくつかの実施形態において、フィルタ空洞１４７は、概ねドーナツ形の形状を有する。「ドーナツ形」という単語は、本明細書では広義の通常の意味で使用され、たとえば、ドーナツ形の形状（たとえば、円環面、矩形トロイド、多角形トロイド）、不規則なトロイダル形状（たとえば、突出部を有するトロイド、非円形の形状、切込、切欠など）、またはこれらの組合せを含む。いくつかの実施形態において、フィルタ空洞１４７は、概ね正方形、概ね矩形、概ね三角形、概ね卵形の形状、または他の形状を有する。
【００８０】
フィルタ１６１は、フィルタ空洞１４７内に嵌合するサイズを有するものとすることができる。フィルタ１６１は、おおよそフィルタ空洞１４７の内幅Ｄ４以下となるように構成されている内幅（たとえば、直径）Ｄ５を有することができる。いくつかの実施形態において、フィルタ１６１の内幅Ｄ５は、フィルタ空洞１４７の内幅Ｄ４より大きい。いくつかの実施形態において、フィルタ１６１は、おおよそフィルタ空洞１４７の外幅Ｄ９以上である外幅（たとえば、直径）Ｄ６を有する。フィルタ１６１は、疎水性および／または抗菌性フィルタであってよい。いくつかの実施形態において、フィルタ１６１は、軽量多孔質材料などの、紙、ポリマー、発泡体、または他の材料から製造される。いくつかの実施形態において、フィルタ１６１は、可撓性または半可撓性材料から製造される。フィルタ１６１は、フィルタ空洞１４７内に挿入されるときに変形するように構成され得る。たとえば、フィルタ１６１の内幅Ｄ５は、基部突出部１３３の幅Ｄ４内にぴったり嵌合するか、または幅Ｄ４上で引き伸ばされ得る。いくつかの実施形態において、フィルタ１６１の外幅は、フィルタ空洞１４７の外幅Ｄ９に対してぴったり嵌合するか、または外幅Ｄ９内に圧入される。いくつかの実施形態において、フィルタ１６１とフィルタ空洞１４７との間にぴったり嵌合することで、流体がフィルタ１６１を通過することなくフィルタ空洞１４７および／または結合通路１３１内に流入すること、および／または流出することを阻止することができる。
【００８１】
調節器アセンブリ１５０は、ダイアフラム１６３を備えることができる。ダイアフラム１６３は、いくつかの実施形態において、概ね円形の、または概ね円環状の形状（たとえば、図示されているように概ねトロイダル形状）を有することができる。いくつかの実施形態において、ダイアフラム１６３の形状は、調節器基部１３０の軸方向突起部１４６の形状と概ね一致するように構成される。ダイアフラム１６３は、基部部分１３０内にまたは基部部分１３０上に挿入され得る。たとえば、ダイアフラム１６３のリップ１６３ｂは、軸方向突起部１４６の径方向外側の周りに（図３Ｈの上および下に）嵌合するように構成され得る。ダイアフラム１６３は、幅（たとえば、直径）Ｄ３を有する内側開口１６３ａ（たとえば、例示されているように、内周によって画成されるオリフィス）を備えることができる。たとえば、内側開口１６３ａは、概ね円形の形状を有していてもよい。いくつかの実施形態において、例示されているように、幅Ｄ３は、基部突出部１３３の外幅Ｄ４よりも小さいものとしてよい。いくつかの実施形態では、例示されているように、ダイアフラム１６３は、基部突出部１３３と概ね同軸になるように位置決めされる。いくつかの実施形態において、ダイアフラム１６３は、例示されているように、結合通路１３１と概ね同軸になるように位置決めされる。いくつかの実施形態では、例示されているように、ダイアフラム１６３の内側開口１６３ａ（たとえば、オリフィスまたは内側オリフィス）は、結合通路１３１の一部を含む。
【００８２】
調節器ネスト１９０は、調節器基部１３０と解放可能にまたは他の何らかの形で結合されるように構成され得る。図３Ｃに例示されているように、調節器ネスト１９０は、１つまたは複数の固定部材１９２を備えることができる。固定部材１９２は、調節器基部１３０上の固定開口１３４と係合するように形成されかつ／または構成され得る。固定部材１９２は、調節器基部１３０の固定開口１３４内に挿入されるように構成されているクリップ、タブ、または他の突起部を備えることができる。たとえば、固定部材１９２は、フック１９２ｂが端部にあるタブ１９２ａを備えることができる。固定部材１９２は、弾性のある材料から形成され得る。たとえば、固定部材１９２のタブ１９２ａは、半径方向（たとえば、図３Ｈに関して上および下）の力がフック１９２ｂに加えられたときに変形する（たとえば、撓む）か、または他の何らかの形で移動するように構成され得る。調節器基部１３０は、タブ１９２ａが開口１３４内に挿入されるときにフック１９２ｂを半径方向（たとえば、図３Ｈに関して上および下）外側に撓ませるように構成されている角度付きタブ１３４ａを備えることができる。フック１９２ｂは、固定開口１３４を通過した後に適所に素早く戻ることができ、角度付きタブ１３４ａの後側（たとえば、調節器ネスト１９０から離れている側）と係合し、調節器ネスト１９０を調節器基部１３０に固定することができる。
【００８３】
図３Ｇに例示されているように、調節器ネスト１９０は、軸方向突起部１９４を備えることができる。軸方向突起部１９４は、調節器ネスト１９０が調節器基部１３０と結合されるときに調節器ネスト１９０から調節器基部１３０の方へ伸長し得る。軸方向突起部１９４は、いくつかの実施形態において、概ね円環状の形状を有するものとしてよい。いくつかの実施形態において、軸方向突起部１９４は、概ね卵形の形状、概ね多角形の形状、概ね円形の形状、または他の適切な形状を有する。軸方向突起部１９４の形状は、調節器基部１３０の軸方向突起部１４６の形状に類似しているか、または同じであるものとしてよい。例示されているように、軸方向突起部１９４は、調節器ネスト１９０が調節器基部１３０と結合されるときにダイアフラム１６３の少なくとも一部と接触することができる。いくつかの実施形態において、調節器ネスト１９０の軸方向突起部１９４とダイアフラム１６３との間の接触は、ダイアフラム１６３の少なくとも一部を軸方向突起部１９４と調節器基部１３０の軸方向突起部１４６との間の適所に固定することができる。たとえば、軸方向突起部１４６、１９４は、リップ１６３ｂに隣接するかまたは近くのダイアフラム１６３の一部を適所に固定することができる。
【００８４】
図示されているように、いくつかの実施形態では、基部突出部１３３は、結合突出部１８５ａから離れる方向に軸方向突起部１４６よりも遠くまで延在し得る。いくつかの実施形態において、内側開口１６３ａに隣接するダイアフラム１６３の一部は、調節器ネスト１９０が調節器基部１３０に結合されるときに結合突出部１８５ａから離れる方向に撓まされるか、または他の何らかの形で移動され得る。内側開口１６３ａに隣接するダイアフラム１６３の部分の撓みは、基部突出部１３３のリップ１６５（たとえば、図３Ｈに例示されているように、調節器基部１３０から最も遠い基部突出部１３３の端部）の方へダイアフラム１６３の内側開口１６３ａを付勢することができる付勢力（たとえば、ダイアフラム１６３の材料中の戻る力）を発生させ得る。基部突出部１３３のリップ１６５は、前縁上に接触する接続部または表面の面積を減らすのに役立つ構成（角度付きまたは勾配付きの構成など）をとるように形成され得る。たとえば、弁座１３５が、基部突出部１３３の半径方向（たとえば、図３Ｈに関して上および下）外側部分上にまたはその近くに形成され得る。ダイアフラム１６３と弁座１３５との間に係合が生じることで、以下で詳しく説明されるように一方向ダイアフラム弁（たとえば、図示されるようなダイアフラム逆止弁または吸気弁）を形成することができる。弁座１３５は、リップ１６５の半径方向（たとえば、図３Ｈに関して上および下）内側部分よりも、結合突出部１８５ａから遠く離れて配置されてよい。いくつかの実施形態において、勾配付きリップは、ダイアフラム１６３と弁座１３５との間の接触面または接続部の面積を減らすことによってダイアフラム１６３が弁座１３５に張り付くのを阻止するか、または防ぐことができる。
【００８５】
いくつかの実施形態において、バイアルアダプタ１００は、エンクロージャカバー１９８などの拡張阻止器を備える。拡張阻止器は、調節器ネスト内のまたは調節器ネストから離れた位置での可撓性エンクロージャ１５４の拡張または移動を阻止するか、または抵抗するか、または防ぐことができる。いくつかの実施形態において、エンクロージャカバー１９８は、可撓性エンクロージャ１５４のすべてを覆うか、もしくは見えなくするか、もしくは調節器アセンブリ１５０内に保持するか、または可撓性エンクロージャ１５４のすべておよび調節器アセンブリ１５０の前領域を覆うか、もしくは見えなくするか、もしくは保持するように構成される。いくつかの実施形態において、拡張阻止器またはエンクロージャカバー１９８は、可撓性エンクロージャ１５４のすべてを覆うか、または見えなくするか、または保持するということをしない。エンクロージャカバー１９８は、弾性を有する、可撓性を有する、または半可撓性を有する材料から製造され得る。たとえば、エンクロージャカバー１９８は、ゴム、シリコーン、および／または他の何らかの可撓性もしくは半可撓性を有する材料から製造され得る。エンクロージャカバー１９８は、調節器ネスト１９０の半径方向（たとえば、図３Ｈに関して上および下）外側部分の周りに嵌合するサイズおよび形状を有するものとしてよい。たとえば、図３Ｇに例示されているように、エンクロージャカバー１９８は、調節器ネスト１９０の一方の軸方向側（たとえば、組み立てられた調節器アセンブリ１５０内の調節器基部１３０に最も近い調節器ネスト１９０の軸方向側）を包み込むように構成されている内側リップ１９８ａと、調節器ネスト１９０の他方の軸方向側を包み込むように構成されている外側リップ１９８ｂとを備えることができる。例示されているように、内側リップ１９８ａは、外側リップ１９８ｂと厚さがほぼ同じか、または外側リップ１９８ｂよりも厚いものとしてよい。いくつかの実施形態において、調節器エンクロージャカバー１９８の内側リップ１９８ａは、調節器ネスト１９０が調節器基部１３０と結合されるときに調節器ネスト１９０と調節器基部１３０との間に位置決めされるか、または楔のように押し込まれ得る。いくつかの実施形態において、エンクロージャカバー１９８の内側リップ１９８ａを楔のように押し込むことで、エンクロージャカバー１９８が調節器ネスト１９０から離脱するのを阻止するか、または防ぐことができる。いくつかの実施形態において、エンクロージャカバー１９８を調節器ネスト１９０に接着するために接着剤が使用され得る。エンクロージャカバー１９８の外側リップ１９８ｂは、拡張開口１２８を備えるか、または画成し得る。たとえば、外側リップ１９８ｂは、拡張開口１２８を画成するように円形または他の形状の開口部を画成することができる。拡張開口１２８は、調節器ネスト１９０の幅ＷＳ３より小さい幅ＷＳ４を有することができる。
【００８６】
図３Ｇに例示されているように、バイアルアダプタ１００は、可撓性エンクロージャ１５４を備えることができる。可撓性エンクロージャ１５４は、調節器ネスト１９０および／またはエンクロージャカバー１９８内の貯蔵室１９６内に嵌合するように構成され得る。いくつかの実施形態において、可撓性エンクロージャ１５４は、可撓性エンクロージャ１５４が収縮構成にあるときに貯蔵室１９６内に折り畳まれて入る。いくつかの実施形態では、例示されているように、可撓性エンクロージャ１５４は、可撓性エンクロージャ１５４の材料をそのような材料の平面内に延伸することによって概ね拡張可能でなく、可撓性エンクロージャ１５４内のガスが可撓性エンクロージャ１５４から押し戻されるように働きかける傾向を有する拡張に対して反対方向に働く圧力を生み出すのを回避する。むしろ、主に可撓性エンクロージャ１５４を延伸する代わりに主に広げてその容積を増やすことによって、可撓性エンクロージャ１５４の内側にあるガスは、システム内の１つまたは複数の他の力がそうするように作用しない限り、および作用するまで、可撓性エンクロージャ１５４から概ね押し戻されない。可撓性エンクロージャ１５４は、取り付け点１５６において調節器ネストに接続され得る。たとえば、可撓性エンクロージャ１５４の開口部を調節器ネスト１９０に取り付けるために、接着剤（たとえば、のり、テープ、フォームテープ、または他の適切な接着剤）が使用され得る。可撓性エンクロージャ１５４は、流体密封方式で調節器ネスト１９０に接続され、かつ／または結合され得る。たとえば、可撓性エンクロージャ１５４は、調節器基部１３０の結合通路１３１と連通する内側容積ＶＥ１、ＶＥ２を画成することができる。いくつかの実施形態において、可撓性エンクロージャ１５４の内部容積ＶＥ１、ＶＥ２は、ダイアフラム逆止弁が閉鎖位置にあるときに周囲と流体的に連通しない。
【００８７】
いくつかの実施形態において、図３Ｈに例示されているように、調節器アセンブリ１５０は、１つまたは複数の吸気ポート１４４も備えることができる。吸気ポート１４４は、結合突出部１８５ａに沿ってまたはその近くに位置決めされ得る。いくつかの実施形態において、吸気ポート１４４は、結合突出部１８５ａから離れた調節器基部１３０の壁内に位置決めされる。１つまたは複数のスペーサ１４４ａが、吸気ポート１４４に隣接する位置に配置され得る。スペーサ１４４ａは、調節器基部１３０が内腔１２６と結合されるときに結合突出部１８５ａが内腔１２６内に入る範囲を制限するように構成され得る。いくつかの実施形態において、スペーサ１４４ａは、吸気ポート１４４が調節器基部１３０および／または内腔１２６によって遮られるのを阻止するか、または防ぐ。
【００８８】
図３Ｇに例示されているように、吸気ポート１４４は、周囲とフィルタ１６１との間の連通を円滑にすることができる。いくつかの実施形態において、バイアルアダプタ１００が取り付けられているバイアルから流体を抜き取った後、結合通路１３１内に圧力損失が生じ得る。結合通路１３１内の圧力の低下は、弁座１３５とダイアフラム１６３との間の接続部のところに圧力差を形成し得る。いくつかの実施形態において、ダイアフラム１６３は、所定の圧力差（たとえば、結合通路１３１内の圧力が周囲圧力より低い圧力差）がダイアフラム１６３上に加えられたときに弁座１３５から離れる方向に撓むか、または他の何らかの形で移動するように構成される。図３Ｈに示されているように、ダイアフラム１６３が弁座１３５から離れる方向に撓むかまたは他の移動をする（たとえば、例示されているように、ダイアフラムまたは吸気弁が開放構成に移行する）ことで、周囲と結合通路１３１との間の流体的連通（たとえば、例示されているように、弁座１３５と内側開口１６３ａを含む弁部材１６３の内周との間で調節器アセンブリ１５０の内側への流体流入）を円滑にすることができる。いくつかの実施形態において、周囲と結合通路１３１との間の流体的連通は、バイアル１０の内部と周囲との間の圧力を均一にする動作を助けることができる。周囲から結合通路１３１に進む流体は、フィルタ１６１を通過することができる。いくつかの実施形態において、フィルタ１６１は、ダイアフラム逆止弁が開いたときに（たとえば、ダイアフラム１６３が弁座１３５から係合解除したときに）汚染物質（たとえば、細菌、ウイルス、微粒子）が結合通路１３１内に取り込まれるのを阻止するか、または防ぐことができる。ダイアフラム１６３は、バイアルの内部（たとえば、結合通路１３１）と周囲との間に所定の圧力差（たとえば、概ね等しい圧力、または他の何らかの圧力差）が生じたときに弁座１３５との係合状態（たとえば、ダイアフラムまたは吸気弁の閉鎖構成）に戻るように構成され得る。
【００８９】
いくつかの実施形態において、医療従事者は、アクセス流路１４５を介して流体をバイアル１０内に注入する前および後の両方においてバイアルアダプタ１００をバイアル１０に結合した後に通気方式でアクセス流路１４５を介してバイアル１０から流体を抜き取り得る。たとえば、ダイアフラム１６３および弁座１３５によって形成されるダイアフラム逆止弁は、流体が吸気ポート１４４に進入しフィルタ１６１を通過することを可能にすることによって可撓性エンクロージャ１５４が拡張する前に通気方式で（たとえば、流体を抜き取るときにバイアル１０内の所定の圧力範囲を維持する方式で）アクセス流路１４５を介して流体がバイアル１０から抜き取られるようにすることができる。いくつかの実施形態において、バイアル内のガス圧力は、抜取医療用器具（バイアルアダプタに接続されている注射器など）内の流体が意図せずにバイアル内に引き戻されないように、かつ接続または切断時に微量噴霧、ガス放出、もしくは他の望ましくない出来事が発生する危険性が実質的に低減されるかまたは排除されるように周囲空気圧力と概ね等しいレベルに維持される。
【００９０】
いくつかの実施形態において、アクセス流路１４５を介して流体がバイアル１０内に取り込まれた後、結合通路１３１内に圧力の増大が生じ得る。可撓性エンクロージャ１５４内の容積は、結合通路１３１内の圧力が望ましいまたは所定の圧力まで上昇したことに応答して拡張するように構成され得る。たとえば、アクセス流路１４５を介して流体がバイアル内に取り込まれた後、結合通路１３１内の圧力は、図３Ｉに例示されているように、可撓性エンクロージャ１５４内の容積が拡張構成まで拡張する圧力点まで上昇し得る。拡張構成において、可撓性エンクロージャは、幅（たとえば、直径）Ｄ７（たとえば、拡張幅または展開幅）を有することができる。可撓性エンクロージャ１５４の幅Ｄ７は、調節器ネスト１９０の幅（たとえば、直径）Ｄ１１より大きいものとしてよい。たとえば、幅Ｄ７は、幅Ｄ１１の約１１０％以上、および／または幅Ｄ１１の約５００％以下であってよい。いくつかの実施形態において、拡張された可撓性エンクロージャ１５４の幅Ｄ７は、調節器ネスト１９０の幅Ｄ１１の約３２０％である。図３Ｉに図示されている例に示されているように、調節器ネスト１９０の幅Ｄ１１は、コネクタ接続部１４０の近位端と穿孔部材１２０の遠位端との間の距離とほぼ同じであるか、またはそれより小さくてよく、かつ／または調節器ネスト１９０の幅Ｄ１１は、コネクタ接続部１４０の近位端とバイアルの一部を把持するように適合されているバイアルアダプタ１００の接続部分１２０の遠位端との間の距離とほぼ同じであるか、またはそれより小さくてよく、かつ／または調節器ネスト１９０の幅Ｄ１１は、コネクタ接続部１４０と遠位調節器開口１２８ａとの間の距離より小さくてよい。可撓性エンクロージャ１５４の拡張容積ＶＥ４は、貯蔵室１９６の貯蔵室容積ＶＳより大きいものとしてよい。たとえば、可撓性エンクロージャ１５４の拡張容積ＶＥ４は、貯蔵室１９６の容積ＶＳの約５００％以上であり、かつ／または貯蔵室１９６の容積ＶＳの約１０，０００％以下であり得る。いくつかの実施形態において、拡張された可撓性エンクロージャ１５４の拡張容積ＶＥ４は、貯蔵室１９６の容積ＶＳの約３，０００％以上であり、かつ／または貯蔵室１９６の容積ＶＳの約５，５００％以下である。いくつかの実施形態において、拡張された可撓性エンクロージャ１５４の拡張容積ＶＥ４は、貯蔵室１９６の容積ＶＳのおおよそ４，３００％である。多くの変更形態が可能である。
【００９１】
可撓性エンクロージャ１５４内の容積は、拡張構成に移行した後、アクセス流路１４５を介してバイアル１０から流体を抜き取ってから、収縮構成に収縮するように構成され得る。可撓性エンクロージャ１５４内の容積の収縮は、（たとえば、例示されているように、近位調節器通路を通じて、および弁１７０と遠位調節器開口１２８ａとの間の調節器流路１２５の遠位通路を通じて）調節器流路１２５を介して調節器流体を可撓性エンクロージャ１５４の内部容積からバイアル１０に取り込むことを円滑にすることができる。調節器流体を可撓性エンクロージャ１５４の内部容積からバイアル１０に取り込むことで、バイアル１０内の圧力を望ましい、または所定の範囲内に維持することを円滑にすることができる。
【００９２】
図３Ｇに例示されているように、調節器基部１３０とバイアルアダプタ１００の中心線との間の（たとえば、穿孔部材１２０の中心線ＣＬに関する）半径方向距離ＤＳ３は、調節器基部１３０の半径方向内側縁とエンクロージャカバー１９８の半径方向外側縁との間の半径方向距離ＤＳ４より大きいものとしてよい。いくつかの実施形態において、半径方向距離ＤＳ３は、半径方向距離ＤＳ４の１１０％以上、および／または半径方向距離ＤＳ４の２００％以下である。いくつかの実施形態において、半径方向距離ＤＳ３は、半径方向距離ＤＳ４の約１４０％である。
【００９３】
いくつかの実施形態において、可撓性エンクロージャ１５４は、可撓性エンクロージャ１５４が収縮構成にあるときに貯蔵室１９６内に折り畳まれ貯蔵される。いくつかの実施形態において、可撓性エンクロージャ１５４は、貯蔵室１９６内に貯蔵される前に多角形、円形、および／または卵形の形状に折り畳まれる。たとえば、図４Ｂに例示されているように、可撓性エンクロージャ１５４は、貯蔵室１９６内で実質的に矩形の形状に折り畳まれ得る。
【００９４】
上で説明されているように、可撓性エンクロージャ１５４は、アクセス流路１４５を介して流体がバイアル１０内に取り込まれた後に、拡張構成に移行するように構成され得る。いくつかの実施形態において、可撓性エンクロージャ１５４は、可撓性エンクロージャ１５４が収縮構成から拡張構成に移行するときに可撓性エンクロージャ１５４の少なくとも一部がエンクロージャカバー１９８の外側リップ１９８ｂの一部との摩擦抵抗を生じさせるように折り畳まれて貯蔵室１９６内に貯蔵される。折り畳まれた可撓性エンクロージャ１５４と外側リップ１９８ｂとの間の摩擦抵抗は、可撓性エンクロージャ１５４が拡張構成に急速に移行するのを阻止するか、または防ぐことができる。可撓性エンクロージャ１５４が収縮構成から拡張構成に移行するのを遅くすることで、逆止弁１７０が誤って閉じるのを阻止するか、または防ぐことができ、バイアル、バイアルアダプタ、およびバイアルが移動されることになっている医療器具（たとえば、注射器）のシステム内の、そうしないと漏れもしくは他の不具合を生じる危険性を高める可能性のある、応力を減じることを助けることができる。
【００９５】
いくつかの実施形態において、可撓性エンクロージャ１５４は、可撓性エンクロージャ１５４内の容積の一貫した、低速の、予測可能な拡張を促すために一貫したかつ／または制御された方式で収縮構成の折り畳まれた状態から広がるように構成される。たとえば、可撓性エンクロージャ１５４は、望ましいまたは所定のパターン（たとえば、図５Ａ〜図６Ｂにおいて開示され、以下で説明されているパターン）で折り畳まれ、望ましいまたは所定のパターンで折り畳まれた状態から広げられる（たとえば、折り畳みパターンで折り畳まれたものが折り畳まれた順序とは逆の順序で広げられる）ようにできる。
【００９６】
いくつかの実施形態において、可撓性エンクロージャ１５４は、可撓性エンクロージャ１５４の折った部分がエンクロージャ層の概ねラミネート基材を形成するように貯蔵室１９６に折り畳まれる。たとえば、図３Ｇに例示されているように、複数の可撓性エンクロージャ層が調節器ネスト１９０のネスト開口１９５とエンクロージャカバー１９８の外側リップ１９８ｂの拡張開口１２８との間に位置決めされ得る。いくつかの実施形態において、可撓性エンクロージャ層は、拡張開口１２８に最も近い折り畳まれた可撓性エンクロージャ１５４の層（たとえば、可撓性エンクロージャ１５４が収縮構成にあるときに周囲に最も曝されている折り畳まれた可撓性エンクロージャ１５４の層）上に加わる衝撃もしくは他の外力から可撓性エンクロージャ１５４の材料破壊（たとえば、穴開け、破れ、破裂）の可能性を実質的に低減するか、最小にするか、またはなくすことができる。たとえば、折り畳まれた可撓性エンクロージャ１５４の折った部分のラミネート構成は、調節器アセンブリ１５０の外部から加えられる衝撃または他の力に関して可撓性エンクロージャ１５４の層の有効厚さ（たとえば、ラミネート層の厚さ合計）を増やすことができる。いくつかの実施形態において、折り畳まれた可撓性エンクロージャ１５４のラミネート構成は、バイアル１０内からの圧力増大により可撓性エンクロージャ１５４が破裂する可能性を低減するか、最小にするか、またはなくすことができる。たとえば、上で説明されているように、ラミネート層は、バイアル１０内の圧力に関して可撓性エンクロージャ１５４の有効厚さを増加させることができる。
【００９７】
図３Ｇに例示されているように、可撓性エンクロージャ１５４は、収縮構成にあるときに非常に小さい内部容積ＶＥ３を有するものとしてよい。たとえば、（たとえば、以下で説明されているプロセスに従って）可撓性エンクロージャ１５４を折り畳むことで、折り畳まれた可撓性エンクロージャ１５４の折り畳まれたラミネータ層の間の空間を減じることができ、可撓性エンクロージャ１５４内から流体の多くまたはほとんどを排出することができる。いくつかの実施形態において、折り畳まれた可撓性エンクロージャ１５４から流体の多くまたは大部分を排出することで、（たとえば、図３Ｇに示されているような）収縮した可撓性エンクロージャ１５４と（たとえば、図３Ｉに示されているような）拡張した可撓性エンクロージャ１５４との間の容積差を増大させ得る。いくつかの実施形態において、収縮した可撓性エンクロージャ１５４と拡張した可撓性エンクロージャ１５０との間の容積差を増大させることで、可撓性エンクロージャ１５４に延伸性材料を使用する必要性を低減するか、最小にするか、またはなくすことができる。たとえば、延伸性がほとんどないかまたは全くない可撓性材料（たとえば、Ｍｙｌａｒ（登録商標）フィルム）は、可撓性エンクロージャ１５４を製造するために使用できる。いくつかの実施形態において、可撓性エンクロージャ１５４は、ポリエチレンまたは他の何らかの適切な材料から製造される。
【００９８】
図４Ａ〜図４Ｂは、本明細書で開示されている他のバイアルアダプタのコンポーネントまたは部分と同じであるかまたは類似しているコンポーネントまたは部分を有することができるバイアルアダプタ２００の一実施形態を例示している。いくつかの実施形態において、バイアルアダプタ２００は、コネクタ接続部２４０およびコネクタ接続部２４０と部分的に連通する穿孔部材２２０を備える。いくつかの実施形態において、バイアルアダプタ２００は、調節器アセンブリ２５０を備える。図４Ａ〜図４Ｂのコンポーネントを参照するいくつかの番号は、バイアルアダプタ１００について前に説明されたものと同じであるか、または類似している（たとえば、穿孔部材２２０：穿孔部材１２０）。コンポーネントは、前に説明されたコンポーネントに機能が同じであるか、または機能について類似しているものとしてよいことが理解されるべきである。図４Ａ〜図４Ｂのアダプタ２００は、図３Ａ〜図３Ｊのアダプタ１００のいくつかの変更形態を示している。
【００９９】
例示されているように、調節器アセンブリ２５０のフィルタ２６１は薄い（たとえば、フィルタ２６１の直径または断面より実質的に薄い）フィルタであってよい。フィルタ２６１は、疎水性および／または抗菌性であってよい。いくつかの実施形態において、フィルタ２６１は、第１のフィルタ座部２３３ａおよび第２のフィルタ座部２６４ａと係合するように構成される。第１のフィルタ座部２３３ａおよび第２のフィルタ座部２６４ａの一方または両方は、円環状頂上部であってよい。たとえば、第１のフィルタ座部２３３ａは、調節器基部１３０の基部突出部２３３の段付き部分上に位置決めされた円環状頂上部であってよい。第２のフィルタ座部２６４ａは、たとえば、調節器基部１３０の段付き部分上に位置決めされた円環状頂上部であってよい。いくつかの実施形態において、フィルタ２６１は、他の適切な固定化合物または固定技術の接着剤を介して第１のフィルタ座部２３３ａおよび／または第２のフィルタ座部２６４ａに貼り付けられる。
【０１００】
ダイアフラム２６３は、調節器ネスト２９０と調節器基部２３０との間に固定され得る。いくつかの実施形態において、ダイアフラム２６３のリップ２６３ｂは、調節器ネスト１９０の軸方向突起部２９４と基部頂上部２６４ｂとの間に位置決めされるか、または楔のように押し込まれるものとしてよい。基部頂上部２６４ｂは、概ね円環状の頂上部であってよい。ダイアフラム２６３のリップ２６３ｂおよび／またはダイアフラム２６３全体は、可撓性および／または圧縮性材料から製造され得る。いくつかの実施形態において、ダイアフラム２６３のリップ２６３ｂと基部頂上部２６４ｂとの間に楔のように押し込んで係合させることで、流体が意図せずにリップ２６３ｂの周りでダイアフラム２６３を迂回する可能性を低減するか、最小にするか、またはなくすことができる。
【０１０１】
図５Ａ〜図５Ｂは、折り畳まれた可撓性エンクロージャ１５４の一例および可撓性エンクロージャ１５４を折り畳む方法の一例を示している。いくつかの実施形態において、可撓性エンクロージャ１５４は、比較的等しい水平方向の広がりを有する複数の（たとえば、３つの）水平方向（たとえば、図５Ａを参照すると左から右へ）の部分において画成され得る。複数の水平方向部分は、複数の折り目ＦＬ１およびＦＬ２によって分離され得る。可撓性エンクロージャ１５４を折り畳む方法は、折り目ＦＬ１に沿って可撓性エンクロージャ１５４の第１の部分または四分円Ｑ１を折り畳むステップを含むことができる。この方法は、概ね折り目ＦＬ２に沿って第１の部分または四分円Ｑ１上に第２の部分または四分円Ｑ２を折り畳むステップを含むことができる。図５Ｂに例示されているように、可撓性エンクロージャ１５４を折り畳む方法は、可撓性エンクロージャ１５４を複数の（たとえば、３つの）垂直方向部分に（図５Ｂに関して上および下に）分割するステップを含むことができる。複数の垂直方向部分は、別の（たとえば、第３の）折り目ＦＬ３およびさらに別の（たとえば、第４の）折り目ＦＬ４によって分離され得る。可撓性エンクロージャ１５４を折り畳む方法は、折り目ＦＬ３に沿って別の（たとえば、第３の）部分または四分円を折り畳むステップを含むことができる。さらに別の（たとえば、第４の）部分または四分円Ｑ４は、折り目ＦＬ４に沿って前に形成された（たとえば、第３の）部分または四分円Ｑ３上に折り畳まれ得る。四分円Ｑ３の上に四分円Ｑ４を折り畳んだ後、図５Ｂに例示されているように、可撓性エンクロージャは、概ね正方形のまたは矩形の形状を有することができる。可撓性エンクロージャ１５４の正方形または矩形は、主対角線Ｄ８（たとえば、貯蔵または収縮幅）を有することができる。主対角線Ｄ８は、調節器ネスト１９０の幅ＷＳ３（たとえば、貯蔵室幅）より小さいか、またはほぼ等しいものとしてよい。図５Ｂに例示されているように、対角線Ｄ８は、拡張開口１２８の幅ＷＳ４より大きいか、またはほぼ等しいものとしてよい。
【０１０２】
図６Ａ〜図６Ｂは、可撓性エンクロージャ１５４を折り畳む方法を示している。図６Ａ〜図６Ｂに例示されている方法の折り目は、拡張された可撓性エンクロージャ１５４の幅Ｄ７にほぼ等しい対角線を有する正方形を概ね形成することができる。この方法は、第１の折り目ＦＬ１ａに沿って第２の四分円Ｑ２ａ（たとえば、四分円Ｑ１ａから可撓性エンクロージャ１５４の概ね反対の側の四分円）の方へ可撓性エンクロージャ１５４の第１の四分円Ｑ１ａを折り畳むステップを含むことができる。次いで、第１の四分円Ｑ１ａは、折り目ＦＬ１ａの方へ折り返されるものとしてよい。いくつかの実施形態において、第２の四分円Ｑ２ａは、第２の折り目ＦＬ２に沿って第１の四分円Ｑ１ａ上に折り畳まれる。次いで、第２の四分円Ｑ２ａは、折り目ＦＬ２ａの方へ折り返されるものとしてよい。第３の四分円Ｑ３ａは、第３の折り目ＦＬ３ａに沿って第４の四分円Ｑ４ａの方へ折り畳まれ得る。次いで、いくつかの構成によれば、第４の四分円Ｑ４ａは、第４の折り目ＦＬ４ａに沿って第３の四分円Ｑ３ａ上に折り畳まれる。次いで、概ね積み重ねられるかまたはラミネートされた第３および第４の四分円Ｑ３ａ、Ｑ４ａは、第５の折り目ＦＬ５に沿って折り畳まれ、対角線Ｄ１２を有する実質的に矩形の折り畳まれた可撓性エンクロージャ１５４を形成することができる。対角線Ｄ１２の長さは、拡張開口１２８の幅ＷＳ４より大きく、かつ／またはほぼ調節器ネスト１９０の幅ＷＳ３より小さいか、もしくは等しいものとしてよい。
【０１０３】
図７〜図１３は、調節器アセンブリ３５０の実施形態を例示している。本明細書におけるすべての実施形態と同様に、図７〜図１３に関して例示されるかまたは説明されている構造、特徴、材料、もしくはステップは、本明細書における他の実施形態で例示されるかまたは説明されている構造、特徴、材料、もしくはステップとともに、またはその代わりに使用され得る。２０１４年１月２２日に出願された（現在、特許文献１として公開されている）米国特許出願第１４／１６１，５９１号、２０１４年２月１２日に出願され、２０１５年９月１５日に発行された特許文献２、２０１４年９月１７日に出願された（現在、特許文献３として公開されている）米国特許出願第１４／４８８，８５６号、および２０１５年７月２２日に出願された米国特許出願第１４／８０６，５２０号において説明されているバイアルアダプタおよび調節器アセンブリは、各々、本明細書に全体として参照により組み込まれている。前述の特許出願の任意の実施形態に関して例示されるかまたは説明されている構造、特徴、材料、もしくはステップは、本明細書における他の実施形態で例示されるかまたは説明されている構造、特徴、材料、もしくはステップとともに、またはその代わりに使用され得る。いくつかの実施形態において、調節器アセンブリ３５０は、調節器基部３３０と、調節器基部３３０と固定してまたは取り外し可能に結合するように構成されている調節器ネスト３９０とを備える。図７〜図１３のコンポーネントを参照するいくつかの番号は、調節器アセンブリ１５０および２５０について前に説明されたものと同じであるか、または類似している（たとえば、第１のフィルタ座部３３３ａ：第１のフィルタ座部２３３ａ）。コンポーネントは、前に説明されたコンポーネントに機能が同じであるかまたは機能が類似しているものとしてよいことが理解されるべきである。たとえば、調節器基部３３０の結合突出部３８５ａは、図３Ａ〜図３Ｊの本体部分１８０の内腔１２６と結合するように構成され得る。たとえば、結合突出部３８５ａは、内腔１２６内に嵌合することができ、接着剤、溶接、摩擦嵌め、および／または他の何らかの接続構造もしくは方法を介して内腔１２６に接続され得る。いくつかの実施形態において、結合突出部３８５ａは、内腔１２６の外側の周りに嵌合する（たとえば、内腔１２６は結合突出部３８５ａ内に嵌合する）。いくつかの実施形態において、調節器アセンブリ３５０は、遠位調節器開口１２８ａと調節器アセンブリ３５０との間の調節器流路内に位置決めされた逆止め弁と組み合わせて使用される。いくつかの実施形態において、調節器アセンブリ３５０は、遠位調節器開口と調節器アセンブリ３５０との間に位置決めされた逆止め弁なしでシステムの一部として使用される（たとえば、図４Ａ〜４Ｂを参照）。図７〜図１３の調節器アセンブリ３５０は、図３Ａ〜図６Ｂの調節器アセンブリ１５０および２５０のいくつかの変更形態を示している。
【０１０４】
図１０に例示されているように、調節器基部３３０は、円環状壁３１３を備えることができる。円環状壁３１３は、（たとえば、調節器アセンブリ３５０の調節器軸３１４に関して）調節器基部３３０の外周の周りに延在し得る。いくつかの実施形態において、円環状壁３１３は、調節器軸３１４に平行なまたはほぼ平行な方向に結合突出部３８５ａから遠ざかる形で延在する。たとえば、円環状壁３１３は、調節器ネスト３９０が調節器基部３３０と結合されるときに調節器ネスト３９０を越えて伸長し得る（たとえば、図７および図１０Ａを参照）。いくつかの実施形態において、円環状壁３１３をネスト３９０を越えて伸長させることで、以下で説明されているように、円環状壁３１３へのカバー３８０またはキャップ３８０ａの取り付けを可能にし得る。カバー／キャップ３８０／３８０ａを円環状壁３１３に接続することで、調節器ネスト３９０および調節器基部３３０がカバー／キャップの取り外し時に結合解除する危険性を低減することができる。円環状壁３１３は、図１０Ａに例示されているように、可撓性エンクロージャ３５４が収縮（たとえば、貯蔵）構成にあるときに位置決めされ得る貯蔵室３９６を画成することができる。いくつかの実施形態では、例示されているように、円環状壁３１３は、継ぎ目のないまたは実質的に継ぎ目のない外面（たとえば、突出部、穴、ギャップ、または他の表面特徴のない）を有することができる。
【０１０５】
図１０および図１２に例示されているように、調節器ネスト３９０は、突出部３１７などの１つまたは複数の突出部を備えることができる。突出部３１７は、円環状の形状を有することができる。突出部３１７は、調節器ネスト３９０から調節器基部３３０の方へ延在し得る。いくつかの実施形態において、突出部３１７は、ネスト開口３９５から（たとえば、調節器軸３１４に関して）半径方向外側に位置決めされる。いくつかの実施形態において、突出部３１７は、半径方向においてネスト開口３９５と軸方向突起部３９４との間に位置決めされる。いくつかの実施形態において、突出部３１７は、軸方向突起部３９４から半径方向内側に位置決めされる。突出部３１７は、ダイアフラム３６３の一部と係合するようにサイズ、形状を決められ、かつ／または他の何らかの形で構成され得る。たとえば、突出部３１７は、ダイアフラム３６３のリップ３６３ｂと内側開口ダイアフラム３６３ａとの間でダイアフラム３６３と接触することができる。いくつかの実施形態において、図１０に例示されているように、突出部３１７は、ダイアフラムが閉鎖位置にあるときにダイアフラム３６３と接触する。いくつかの実施形態において、突出部３１７は、ダイアフラムが閉鎖位置にあるときにダイアフラム３６３から離される。突出部３１７は、ダイアフラム３６３を閉鎖位置に付勢するように構成され得る。いくつかの実施形態において、突出部３１７は、突出部３１７のない実施形態と比較してダイアフラム３６３のクラッキング圧（たとえば、ダイアフラムを閉位置から開位置に移行させるのに必要な圧力差）を増加させる。
【０１０６】
ネスト開口３９５は、直径Ｄ１３を有することができる。いくつかの実施形態において、ネスト開口３９５の直径Ｄ１３は、結合突出部３８５ａの直径Ｄ１４より小さい。たとえば、ネスト開口３９５の直径Ｄ１３は、結合突出部３８５ａの直径Ｄ１４の約３／４以下、約４／５以下、約９／１０以下、約２／３以下、約１／２以下、および／または約１／４以下であってよい。いくつかの実施形態において、ネスト開口３９５の直径Ｄ１３は、約１０ｍｍ以下、約７ｍｍ以下、約５ｍｍ以下、約３ｍｍ以下、約１ｍｍ以下、および／または約０．５ｍｍ以下である。多くの変更形態が可能である。
【０１０７】
図１０に例示されているように、カバー３８０は、調節器アセンブリ３５０に接続され得る。たとえば、カバー３８０は、円環状壁３１３に接続され得る。カバー３８０は、間違って展開する（たとえば、可撓性エンクロージャ３５４の収縮状態から拡張状態に移行する）または部分的に展開する（たとえば、ネスト３９０内からネスト３９０の外側へ可撓性エンクロージャ３５４の少なくとも一部が移動する）のを阻止するように構成され得る。いくつかの実施形態において、カバー３８０は、輸送および貯蔵を補助するために均一でコンパクトな外形および外観を維持し、調節器アセンブリ３５０の使用前に可撓性エンクロージャ３５４の損傷または汚染の危険性を低減する。
【０１０８】
カバー３８０は、液体および／またはガス不浸透性を有するものとしてよい。いくつかの実施形態において、カバー３８０は、コート紙、シリコーン、ポリマー、箔、Ｍｙｌａｒ（登録商標）フィルム、および／または他の何らかの好適な材料から製造される。いくつかの実施形態において、カバー３８０は、ポリオレフィン、ポリ塩化ビニル、ポリエチレン、ポリプロピレン、および／または多層ポリマー組成物から製造される。いくつかの実施形態において、カバー３８０は、たとえば、エチレンプロピレンまたはエチレン酢酸ビニルなどの共重合体から製造される。いくつかの実施形態において、カバー３８０は、押出成形材料、共押出成形材料、ラミネート、および／または二軸配向ポリプロピレンから製造される。カバー材料は、可撓性、延伸性、および／または引き裂き可能なものであってよい。カバー３８０は、透明、半透明、または不透明であってよい。
【０１０９】
カバー３８０は、調節器アセンブリ３５０に接着される、回して中に入れられるか、置かれる、中にねじ込まれるか、ねじ込まれて装着される、包まれる、クリップ結合される、摩擦嵌めされる、延伸される、磁気的に付着される、収縮包装される、溶接される、かつ／または他の何らかの形で取り付けられる、などの好適な方式で調節器アセンブリ３５０に（たとえば、調節器基部３３０の円環状壁３１３の内面および／または外面に）取り外し可能にまたは一時的に結合され得る。いくつかの実施形態において、カバー３８０は、使用者による別の好適な移動によって押されるか、または引かれるか、または影響を与えられたときにカバー内に分離または分割または引き裂きまたは割れまたは破裂を容易におよび予測可能に発生させるように構成されている１つまたは複数の分離可能なまたは分離する領域を備える。たとえば、１つまたは複数の分離可能なまたは分離する領域は、１つもしくは複数のミシン目または１つもしくは複数の離脱部分であってよい。本明細書におけるすべての実施形態と同様に、この実施形態において例示されかつ／または説明されている任意のタイプの分離可能なまたは分離する領域は、他の実施形態の構造、特徴、材料、またはステップとともに含まれるか、またはそれらの代わりに使用され得る。たとえば、図１０Ａに例示されているように、カバー３８０は、円環状ミシン目３８２を備える。円環状ミシン目３８２は、カバー３８０の外縁の近く（たとえば、カバー３８０の半径の約１０％以内、約２０％以内、または約５％以内）の周のカバー３８０の周りに延在し得る。円環状ミシン目３８２は、カバー３８０の他の部分より容易に破れ、かつ／または穴が開きやすいように構成されているカバー３８０上の弱化した場所を用意することができる。
【０１１０】
図１０Ｂに例示されているように、カバー３８０は、局所的なミシン目３８３を備え得る。局所的なミシン目３８３は、円環状ミシン目３８２に加えて、またはその代わりに使用されてよい。いくつかの実施形態において、局所的なミシン目３８３は、単独で、または円環状ミシン目３８２と組み合わせて、カバー３８０の局所的に弱化した部分３８１を形成する。カバー３８２の弱化した部分３８１は、カバー３８０を調節器アセンブリ３８０から取り外すのを円滑にするため、かつ／または可撓性エンクロージャ３５４のカバーを取り除くのを円滑にするため、またはタブを形成するかもしくは移動するかもしくは配置してカバー３８０の取り外しを補助するために、取り除かれるか、または穴を開けられるか、または他の何らかの形で移動されるか、配置されるか、または操作されるように構成され得る。いくつかの実施形態（図示せず）において、タブまたは他の把持可能な構造物が弱化した部分３８１に取り付けられ、それにより、弱化した部分３８１の引っ張りおよび／または引き裂きを円滑にする。
【０１１１】
図１０Ｃおよび図１０Ｄに例示されているように、カバー３８０は、タブ３８４または他の握り部分を備えることができる。タブ３８４は、調節器アセンブリ３５０の使用者によって把持されるように構成され得る。タブ３８４は、調節器基部３３０からカバー３８０をより容易に取り除くこと（たとえば、剥がすこと）を円滑にするように構成され得る。いくつかの実施形態において、タブ３８４は、ミシン目に加えて、またはミシン目の代わりに使用される。いくつかの実施形態では、例示されているように、タブ３８４は、カバー３８０の外周から外側に延在する。いくつかの実施形態において、タブ３８４は、カバー３８０の周内で少なくとも部分的にカバー３８０に取り付けられる。タブ３８４は、把持され、調節器アセンブリ３５０の結合突出部３８５ａから遠ざかる方向に引っ張られるように構成され得る。
【０１１２】
図１０Ｅに例示されているように、調節器アセンブリ３５０は、カバー３８０の代わりに、またはカバー３８０に加えてキャップ３８０ａを備えることができる。キャップ３８０ａは、カバー３８０について上で引用されているのと同じ材料のうちの１つもしくは複数、および／または１つもしくは複数の異なる材料から製造され得る。いくつかの実施形態において、キャップ３８０ａは、円環状リム３８７を備える。円環状リム３８７は、調節器基部３３０の円環状壁３１３の一部の周りにまたは内側に嵌合するようにサイズ、形状を決められ、かつ／または他の何らかの形で構成され得る。いくつかの実施形態において、円環状壁３１３は、キャップ３８０ａの円環状リム３８７と係合するように構成されている１つまたは複数の嵌合特徴部（図示せず）を備える。たとえば、円環状壁３１３は、１つまたは複数の頂上部、リブ、突出部、戻り止め、チャネル、凹み、および／またはキャップ３８０ａ（たとえば、キャップ３８０ａの円環状リム３８７）との嵌合を円滑にするように構成されている他の特徴を備えることができる。いくつかの実施形態において、キャップ３８０ａは、キャップ３８０ａの握りを円滑にするように構成されている１つまたは複数のタブまたは他の構造物を備える。キャップ３８０ａは、摩擦嵌め、接着剤、熱収縮、および／または接続の他の何らかの構造物および／または方法を介して円環状壁３１３に接続され得る。キャップ３８０ａは、可撓性エンクロージャ３５４が間違って展開する（たとえば、収縮状態から拡張状態に移行する）のを阻止するように構成され得る。いくつかの実施形態において、キャップ３８０ａは、調節器アセンブリ３５０の使用前に可撓性エンクロージャ３５４が損傷する危険性を低減する。
【０１１３】
図１３に例示されているように、調節器アセンブリ（たとえば、調節器基部３３０）は、１つまたは複数の吸気ポート３４４を備えることができる。吸気ポート３４４は、上で説明されている吸気ポート１４４に類似するかまたは同じ方式で機能し得る。吸気ポート３４４は、結合突出部３８５ａの直径Ｄ１４の約１／２０、１／１０、１／５、１／４、および／または１／３以上である（たとえば、調節器軸３１４に垂直に測定されたときの）ポート高さ３４３を有することができる。
【０１１４】
調節器アセンブリ３５０を使用する方法は、流体をコネクタ接続部に（たとえば、バイアル内に）注入して通す前に使用者によりカバー３８０またはキャップ３８０ａを意図的に取り除くか、もしくは変更するステップ、または拡張を可能にするか、もしくは可撓性エンクロージャ３５４を移動して、可撓性エンクロージャ３５４のさらなる拡張もしくは移動を可能にするかもしくは円滑にする方式でカバー３８０を自動的に取り除くかもしくは変更するステップを含み得る。いくつかの方法によれば、カバー３８０またはキャップ３８０ａは、コネクタ接続部を通して流体を抜き取る前に取り除かれる。いくつかの方法によれば、カバー３８０またはキャップ３８０ａは、可撓性エンクロージャ３５４のさらなる拡張または移動を可能にするように単に緩められるか、または広げられるか、または延伸されるが、カバー３８０またはキャップ３８０ａは本質的に適所に留まる。いくつかの実施形態において、可撓性エンクロージャ３５４は、カバーまたはキャップ３８０ａを取り除く前に貯蔵室３９６の容積を超える容積まで膨張させることはできない。たとえば、キャップ３８０ａまたはカバー３８０は、調節器アセンブリ３５０からキャップ３８０ａまたはカバー３８０を取り除く前に通常の動作条件の下で貯蔵室３９６からの可撓性エンクロージャ３５４の拡張を防ぐように構成され得る。いくつかの実施形態において、キャップ３８０ａまたはカバー３８０を取り除くまたは変更した後に、流体はコネクタ接続部１４０を通して注入され得る。流体をコネクタ接続部１４０に通してバイアル内に注入することで、流体を推進または付勢して調節器流路に通し、可撓性エンクロージャ３５４内に入れることができる。可撓性エンクロージャ３５４およびダイアフラム３６３は、（たとえば、キャップまたはカバー３９０ａ、３８０が取り除かれた後に）本明細書の別のところで説明されている可撓性エンクロージャ１５４、２５４およびダイアフラム１６３、２６３の１つまたは複数のステップまたは方式のどれかで動作するように構成され得る。いくつかの実施形態において、キャップまたはカバー３８０ａ、３８０は、たとえば、キャップもしくはカバーを引っ張る、キャップもしくはカバーの一部を引き裂く、かつ／またはキャップもしくはカバーを調節器アセンブリ３５０から他の何らかの形で取り除くことなど、使用者の意図的なアクションを介してのみ取り除かれるように構成される。いくつかの実施形態において、キャップまたはカバー３８０ａ、３８０は、本明細書で説明されている使用者の意図的なアクションがない場合には適所に留まるように構成される（たとえば、キャップまたはカバーは、流体がバイアル内に注入されたことに応答して調節器アセンブリ３５０に接続されたままになるように構成され得る）。カバーを取り除くアクションは、本明細書では、広義の通常の意味で使用され、たとえば、使用者にカバーの少なくとも一部をアダプタから引き離してもらう、使用者にカバーの少なくとも一部を破ってもらう、可撓性エンクロージャを膨張させてカバーの少なくとも一部の取り除きを行わせる、可撓性エンクロージャを膨張させてカバーの少なくとも一部を引き裂かせる、カバーのミシン目付き部分を分離させる、アクションおよび／またはこれらのアクションの組合せを含む。
【０１１５】
図１４〜図１７は、本明細書で開示されている他の調節器アセンブリのコンポーネントまたは部分と同じであるかまたは類似しているコンポーネントまたは部分を有することができる調節器アセンブリ３５０’の実施形態を例示している。たとえば、調節器アセンブリ３５０’のコンポーネントの多くは、調節器アセンブリ３５０に関して上で説明されているコンポーネントと同じであり、それらへの同一の参照番号を有する。本明細書におけるすべての実施形態と同様に、図１４〜図１７に関して例示されかつ／または説明されている構造、特徴、材料、もしくはステップは、本明細書の別のところで例示されかつ／または説明されている構造、特徴、材料、もしくはステップとともに、またはその代わりに使用され得る。
【０１１６】
調節器アセンブリ３５０’は、カバー３８０ｂを利用し得る。カバー３８０ｂは、調節器基部３３０および／または調節器ネスト３９０の外面領域の実質的部分または大半を包み込むか、または他の何らかの形で覆うように構成され得る。いくつかの実施形態において、カバー３８０ｂは、調節器基部３３０の（たとえば、調節器軸３１４に関する）半径方向外側部分の周りに嵌合するサイズおよび形状を有する円環状側部３９３を備える。いくつかの実施形態において、カバー３８０ｂの側部３９３は、調節器基部３３０の円環状壁３１３の外面を覆うように構成される。
【０１１７】
カバー３８０ｂは、後部フランジ３９７を備えることができる。後部フランジ３９７は、カバー３８０ｂの側部３９３に接続され、かつ／または一体であってよい。後部フランジ３９７は、結合突出部３８５ａに最も近い基部３３０の側部上の調節器基部３３０（たとえば、円環状壁３１３）を包み込むことができる。いくつかの実施形態において、後部フランジ３９７は、カバー３８０ｂの側部３９３から調節器軸３１４の方へ半径方向内側に延在する。
【０１１８】
図１４〜図１７に例示されているように、カバー３８０ｂは、開口３２８を備え得る。開口３２８は、結合突出部３８５ａの反対側のカバー３８０ｂの側部に位置決めされ得る。開口３２８は、幅（たとえば、直径）Ｄ１５を有することができる。開口３２８の幅Ｄ１５は、調節器アセンブリ３５０’の幅（たとえば、直径）Ｄ１６より小さいものとしてよい。いくつかの実施形態において、開口３２８の幅Ｄ１５は、調節器アセンブリ３５０’の幅Ｄ１６の約２／３以下、約３／４以下、約３／５以下、約１／２以下、約１／４以上、約１／３以上、約１／５以上、および／または約３／１０以上である。いくつかの実施形態において、開口３２８の幅Ｄ１５は、調節器アセンブリ３５０’の幅Ｄ１６の約３／１０から約１／２の間である。いくつかの実施形態において、開口３２８の幅Ｄ１５は、調節器アセンブリ３５０’の幅Ｄ１６の約２／５である。多くの変更形態が可能である。
【０１１９】
カバー３８０ｂは、可撓性および／または延伸性材料から製造され得る。たとえば、カバー３８０ｂは、ポリエチレンまたは他の何らかの材料から製造され得る。カバー３８０ｂは、複数の層から形成され得る。いくつかの実施形態において、カバー３８０ｂの層の１つまたは複数は、１つまたは複数の他の層の材料と異なる材料から形成される。
【０１２０】
カバー３８０ｂは、カバー３８０ｂの弱化していない部分に比べて低い応力で破れるように構成されている１つまたは複数の弱化した部分を含むことができる。たとえば、図１５に例示されているように、カバー３８０ｂは、１つまたは複数のミシン目３８９を備え得る。いくつかの実施形態において、カバー３８０ｂは、単一のミシン目３８９のみを備える（たとえば、図１６を参照）。弱化した部分／ミシン目３８９は、カバー３８０ｂのすべての層を貫通するか、またはカバー３８０ｂの層のすべてより少ない層を貫通することができる。カバー３８０ｂの弱化した部分３８９は、可撓性エンクロージャ３５４の膨張時にカバー３８０ｂを引き裂くのを円滑にするように構成され得る。たとえば、弱化した部分３８９は、可撓性エンクロージャ３５４が拡張してカバー３８０ｂから出ることを可能にするようにカバー３８０ｂの引き裂きを円滑にし得る。弱化した部分３８９は、調節器アセンブリ３５０’の製造、組み立て、および出荷時に引き裂きに抵抗するように構成され得る。
【０１２１】
いくつかの実施形態において、ミシン目３８９は、開口３２８からカバー３８０ｂの側部３９３の方へ延在する。いくつかの実施形態において、ミシン目３８９は、側部３９３を通って延在し、かつ／またはカバー３８０ｂの後部フランジ３９７のすべてまたは一部を通って延在する（たとえば、図１７を参照）。
【０１２２】
図１５に例示されているように、２つまたはそれ以上のミシン目３８９が互いの近くに位置決めされ、１つまたは複数の引っ張りまたは離脱ミシン目付きセグメント３９１を形成することができる。いくつかの実施形態において、ミシン目付きセグメント３９１は、可撓性エンクロージャ３５４の膨張前にまたは膨張中にカバー３８０ｂの残りの部分から引っ張られ、破かれ、移動もしくは変更され、かつ／または引き裂かれ得る。
【０１２３】
調節器アセンブリ３５０’を利用してバイアルアダプタを使用する方法は、バイアルアダプタをバイアルに接続するステップを含むことができる。このステップは、バイアルアダプタの穿孔部材によりバイアルを穿孔するステップを含むことができる。注射器または他の流体源は、バイアルアダプタのコネクタ接続部に接続され得る。流体は、コネクタ接続部および穿孔部材を介してバイアル内に注入され得る。流体をバイアルに注入することで、バイアル内の圧力を増大させることができる。バイアル内の圧力増加は、調節器アセンブリ３５０’の調節器流路に流体を押し通し、可撓性エンクロージャ３５４内に送り込むことができる。可撓性エンクロージャ３５４は、バイアルから流体を取り込んだことに応答して拡張することができる。可撓性エンクロージャ３５４の拡張で、カバー３８０ｂに応力を加えることができる。可撓性エンクロージャ３５４の拡張からのカバー３８０ｂの応力は、ミシン目３８９の１つまたは複数の引き裂きを円滑にし得る。ミシン目３８９の１つまたは複数の引き裂きは、可撓性エンクロージャ３５４を拡張してカバー３８０ｂから出すことを円滑にし得る。
【０１２４】
本明細書で使用されているように、「取り付けられる」、「接続される」、「嵌合される」、および他のそのような関係語は、断りのない限り、取り外し可能な、移動可能な、固定された、調整可能なかつ／または取り外し可能な接続部もしくは取り付け部を含むものとして解釈されるべきである。接続部／取り付け部は、直接的接続部および／または説明されている２つのコンポーネントの間に中間構造物を有する接続部を含み得る。
【０１２５】
本明細書で使用されているような「ほぼ」、「約」、「概ね」、および「実質的に」という言い回しは、所望の機能をそのまま果たすか、または所望の結果をもたらす述べられている量に近い量を表す。「半径」または「半径方向の」または「直径」または「円周」または「円周の」または派生形もしくは類似のタイプの語などの、円形に一般的に関連付けられる語は、円形構造物だけでなく、任意のタイプの幾何学的形状の対応する構造物を指示するために使用されることを意図されている。たとえば、別の幾何学的構造物に使用されるような「半径方向の」は、そのような構造物の一般的な幾何学的中心に対応する位置とそのような構造物の周までの間の方向または距離を指すと理解されるべきであり、別の幾何学的構造物に使用されるような「直径」は、そのような構造物の断面幅を指すと理解されるべきであり、別の幾何学的構造物に使用されるような「円周」は、周領域を指すと理解されるべきである。本明細書または図面のいかなるものも、これらの語を円または円形構造物のみに限定すると解釈されるべきでない。
【０１２６】
バイアルアダプタは、特定の実施形態および例の文脈内で開示されているが、当業者であれば、バイアルアダプタは、具体的に開示された実施形態を超えて、これらの実施形態の他の代替的実施形態および／または用途、ならびにそのいくつかの変更形態および等価物に拡大適用されることを理解するであろう。たとえば、いくつかの実施形態は、ガスではなく、液体（水または食塩液）である調節流体を使用するように構成される。別の例として、いくつかの実施形態では、袋はベローズを備える。開示された実施形態の様々な特徴および態様が、バイアルアダプタの様々な形態を形成するために、互いに組み合わされまたは代わりに用いられることができることは理解されるであろう。たとえば、逆止め弁１７０などの１つまたは複数の弁は、上で説明されている弁アダプタの調節器流路内に位置決めされ得る。したがって、本明細書に開示されたバイアルアダプタの範囲は、上記に説明した特定の開示された実施形態によって限定されるべきではないことが意図され、以下の請求項を公平に読むことによってのみ決定されるべきである。
【符号の説明】
【０１２７】
１０  容器、バイアル
２０  アクセス機構
２１  矢印
２４  矢印
２５  弁
３０  調節器
３１  矢印
３２  矢印
３３  矢印
３５  矢印
３５Ａ  矢印
３５Ｂ  矢印
４０  交換デバイス
５０  貯蔵槽
１００  バイアルアダプタ
１２０  穿孔部材
１２５  調節器流路
１２６  内腔
１２８  近位調節器開口、拡張開口
１２８ａ  遠位調節器開口
１２９  第２の内腔
１３０  調節器基部、基部部分
１３１  結合通路
１３３  基部突出部
１３４  固定開口
１３４ａ  角度付きタブ
１３５  弁座
１４０  コネクタ接続部
１４４  吸気ポート
１４４ａ  スペーサ
１４５  アクセス流路
１４６  軸方向突起部
１４７  フィルタ空洞
１５０  調節器アセンブリ
１５４  可撓性エンクロージャ
１５６  取り付け点
１６１  フィルタ
１６３  ダイアフラム、弁部材
１６３ａ  内側開口
１６３ｂ  リップ
１６５  リップ
１８０  本体部分
１８１  中心部分
１８２  脚部
１８５ａ  結合突出部
１９０  調節器ネスト
１９２  固定部材
１９２ａ  タブ
１９２ｂ  フック
１９４  軸方向突起部
１９５  ネスト開口
１９６  貯蔵室
１９８  エンクロージャカバー
１９８ａ  内側リップ
１９８ｂ  外側リップ
２００  バイアルアダプタ
２１０  バイアル
２２０  穿孔部材
２４０  コネクタ接続部
２５０  調節器アセンブリ
２６１  フィルタ
２３３  基部突出部
２３３ａ  第１のフィルタ座部
２５４  可撓性エンクロージャ
２６３  ダイアフラム
２６３ｂ  リップ
２６４ａ  第２のフィルタ座部
２６４ｂ  基部頂上部
２９４  軸方向突起部
３１３  円環状壁
３１４  調節器軸
３１７  突出部
３２８  開口
３３０  調節器基部
３３３ａ  第１のフィルタ座部
３４３  ポート高さ
３４４  吸気ポート
３５０  調節器アセンブリ
３５０’  調節器アセンブリ
３５４  可撓性エンクロージャ
３６３  ダイアフラム
３６３ｂ  リップ
３８０  カバー
３８０ａ  キャップ
３８０ｂ  カバー
３８１  弱化した部分
３８２  円環状ミシン目
３８３  局所的なミシン目
３８４  タブ
３８５ａ  結合突出部
３８７  円環状リム
３８９  ミシン目
３９０  調節器ネスト
３９１  引っ張りまたは離脱ミシン目付きセグメント
３９３  側部
３９４  軸方向突起部
３９５  ネスト開口
３９６  貯蔵室
３９７  後部フランジ
【図１】
2019503256.tif 000003
【図２】
2019503256.tif 000004
【図２Ａ】
2019503256.tif 000005
【図２Ｂ】
2019503256.tif 000006
【図２Ｃ】
2019503256.tif 000007
【図３Ａ】
2019503256.tif 000008
【図３Ｂ】
2019503256.tif 000009
【図３Ｃ】
2019503256.tif 000010
【図３Ｄ】
2019503256.tif 000011
【図３Ｅ】
2019503256.tif 000012
【図３Ｆ】
2019503256.tif 000013
【図３Ｇ】
2019503256.tif 000014
【図３Ｈ】
2019503256.tif 000015
【図３Ｉ】
2019503256.tif 000016
【図３Ｊ】
2019503256.tif 000017
【図４Ａ】
2019503256.tif 000018
【図４Ｂ】
2019503256.tif 000019
【図５Ａ】
2019503256.tif 000020
【図５Ｂ】
2019503256.tif 000021
【図６Ａ−６Ｂ】
2019503256.tif 000022
【図７】
2019503256.tif 000023
【図８】
2019503256.tif 000024
【図９】
2019503256.tif 000025
【図１０】
2019503256.tif 000026
【図１０Ａ】
2019503256.tif 000027
【図１０Ｂ】
2019503256.tif 000028
【図１０Ｃ】
2019503256.tif 000029
【図１０Ｄ】
2019503256.tif 000030
【図１０Ｅ】
2019503256.tif 000031
【図１０Ｆ】
2019503256.tif 000032
【図１１】
2019503256.tif 000033
【図１２】
2019503256.tif 000034
【図１３】
2019503256.tif 000035
【図１４】
2019503256.tif 000036
【図１５】
2019503256.tif 000037
【図１６】
2019503256.tif 000038
【図１７】
2019503256.tif 000039
【国際調査報告】
2019503256.tif 000040
2019503256.tif 000041
2019503256.tif 000042